(57)【要約】  同じノード識別子を複数のノードに割り当てることから生じる混同は、混同検出技法の使用とノード用の一意識別子の使用とによって解決される。いくつかの態様では、アクセスポイントおよび／またはアクセス端末は、混同を検出することおよび／または混同を解決するために一意識別子を与えることに関係する動作を実行することができる。
2011504060.tif 000002
【特許請求の範囲】
【請求項１】
第１のノード識別子によって識別される第１のノード向けの第１のメッセージを受信することと、
第２のノードが前記第１のノード識別子によって識別されるかどうかを判断することと、
前記判断の結果として、前記第１のノードとの通信を確立するために第２のノード識別子の使用を指定する第２のメッセージを送信することと、
を備える通信の方法。
【請求項２】
前記第１のノード識別子は、第１のタイプの指定されたセル識別子を備え、
前記第２のノードが前記第１のノード識別子によって識別されるかどうかの前記判断は、複数のセルが前記指定されたセル識別子を使用するかどうかを判断することを備える、
請求項１に記載の方法。
【請求項３】
前記第２のメッセージは、前記指定されたセル識別子に関連付けられた第２のタイプのセル識別子の要求を備える、請求項２の方法。
【請求項４】
前記第１のメッセージは、前記指定されたセル識別子を使用する前記セルのうちの第１のセルからの第１の信号の受信信号強度の第１の指示を備え、
当該方法は、前記受信信号強度の第１の指示と、前記指定されたセル識別子を使用する前記セルのうちの第２のセルからの第２の信号の受信信号強度の第２の指示とに基づいて、セル識別子の混同が生じることがあるかどうかを判断することをさらに備え、
前記第２のメッセージの前記送信は、前記セル識別子の混同が生じることがあるかどうかの前記判断にさらに基づく、
請求項２の方法。
【請求項５】
前記メッセージを送信した第３のノードに、第１のタイプのセル識別子の定義された集合を、送信することと、
前記第３のノードに、前記セル識別子の定義された集合に関連付けられた閾値を送信することであって、前記閾値が、第２のタイプのセル識別子を獲得するかどうかを判断するためのものである、送信することと、
をさらに備える、請求項２の方法。
【請求項６】
前記第２のノード識別子は、前記第１のノードを一意に識別する、請求項１の方法。
【請求項７】
前記第１のメッセージは、ハンドオーバ要求、干渉管理シグナリング、信号強度測定報告、または少なくとも１つのリソースを確保するためのメッセージを備える、請求項１の方法。
【請求項８】
前記判断は、
近隣探索を行うこと、または
前記第１の識別子が識別子のリスト中に見つかるかどうかを判断すること、
を備える、請求項１の方法。
【請求項９】
前記第１のメッセージは、前記第１のノード識別子の指示を備え、
前記判断は、前記指示をノード識別子指示のリストと比較することを備える、
請求項１の方法。
【請求項１０】
前記第１のノード識別子は、物理セル識別子、パイロット識別子、または擬似乱数配列を備え、
前記第２のノード識別子は、セルグローバル識別子、アクセスネットワーク識別子、またはセクタ識別子を備える、
請求項１の方法。
【請求項１１】
第１のノード識別子によって識別される第１のノード向けの第１のメッセージを受信するように構成された受信機と、
第２のノードが前記第１のノード識別子によって識別されるかどうかを判断するように構成された混同検出器と、
前記判断の結果として、前記第１のノードとの通信を確立するために第２のノード識別子の使用を指定する第２のメッセージを送信するように構成された識別子コントローラと、
を備える通信のための装置。
【請求項１２】
前記第１のノード識別子は、第１のタイプの指定されたセル識別子を備え、
前記第２のノードが前記第１のノード識別子によって識別されるかどうかの前記判断は、複数のセルが前記指定されたセル識別子を使用するかどうかを判断することを備える、
請求項１１の装置。
【請求項１３】
前記第２のメッセージは、前記指定されたセル識別子に関連付けられた第２のタイプのセル識別子の要求を備える、請求項１２の装置。
【請求項１４】
前記第１のメッセージは、前記指定されたセル識別子を使用する前記セルのうちの第１のセルからの第１の信号の受信信号強度の第１の指示を備え、
前記混同検出器は、前記受信信号強度の第１の指示と、前記指定されたセル識別子を使用する前記セルのうちの第２のセルからの第２の信号の受信信号強度の第２の指示とに基づいて、セル識別子の混同が生じることがあるかどうかを判断するようにさらに構成され、
前記第２のメッセージの前記送信は、前記セル識別子の混同が生じることがあるかどうかの前記判断にさらに基づく、
請求項１２に記載の装置。
【請求項１５】
前記メッセージを送信した第３のノードに、第１のタイプのセル識別子の定義された集合を、送信することと、
前記第３のノードに、前記セル識別子の定義された集合に関連付けられた閾値を、送信することであって、前記閾値が、第２のタイプのセル識別子を獲得するかどうかを判断するためのものである、送信することと、
を行うように構成された送信機をさらに備える、請求項１２の装置。
【請求項１６】
前記第２のノード識別子は、前記第１のノードを一意に識別する、請求項１１の装置。
【請求項１７】
前記第１のメッセージは、ハンドオーバ要求、干渉管理シグナリング、信号強度測定報告、または少なくとも１つのリソースを確保するためのメッセージを備える、請求項１１の装置。
【請求項１８】
前記判断は、
近隣探索を行うこと、または
前記第１の識別子が識別子のリスト中に見つかるかどうかを判断すること、
を備える、請求項１１の装置。
【請求項１９】
前記第１のメッセージは、前記第１のノード識別子の指示を備え、
前記判断は、前記指示をノード識別子指示のリストと比較することを備える、
請求項１１の装置。
【請求項２０】
前記第１のノード識別子は、物理セル識別子、パイロット識別子、または擬似乱数配列を備え、
前記第２のノード識別子は、セルグローバル識別子、アクセスネットワーク識別子、またはセクタ識別子を備える、
請求項１１の装置。
【請求項２１】
第１のノード識別子によって識別される第１のノード向けの第１のメッセージを受信するための手段と、
第２のノードが前記第１のノード識別子によって識別されるかどうかを判断するための手段と、
前記判断の結果として、前記第１のノードとの通信を確立するために第２のノード識別子の使用を指定する第２のメッセージを送信するための手段と、
を備える通信のための装置。
【請求項２２】
前記第１のノード識別子は、第１のタイプの指定されたセル識別子を備え、
前記第２のノードが前記第１のノード識別子によって識別されるかどうかの前記判断は、複数のセルが前記指定されたセル識別子を使用するかどうかを判断することを備える、
請求項２１の装置。
【請求項２３】
前記第２のメッセージは、前記指定されたセル識別子に関連付けられた第２のタイプのセル識別子の要求を備える、請求項２２の装置。
【請求項２４】
前記第１のメッセージは、前記指定されたセル識別子を使用する前記セルのうちの第１のセルからの第１の信号の受信信号強度の第１の指示を備え、
前記判断するための手段は、前記受信信号強度の第１の指示と、前記指定されたセル識別子を使用する前記セルのうちの第２のセルからの第２の信号の受信信号強度の第２の指示とに基づいて、セル識別子の混同が生じることがあるかどうかを判断するように構成され、
前記第２のメッセージの前記送信は、前記セル識別子の混同が生じることがあるかどうかの前記判断にさらに基づく、
請求項２２の装置。
【請求項２５】
前記メッセージを送信した第３のノードに、第１のタイプのセル識別子の定義された集合を、送信するための手段と、
前記第３のノードに、前記セル識別子の定義された集合に関連付けられた閾値を送信するための手段であって、前記閾値が、第２のタイプのセル識別子を獲得するかどうかを判断するためのものである、手段と、
をさらに備える、請求項２２の装置。
【請求項２６】
前記第２のノード識別子は、前記第１のノードを一意に識別する、請求項２１の装置。
【請求項２７】
前記第１のメッセージは、ハンドオーバ要求、干渉管理シグナリング、信号強度測定報告、または少なくとも１つのリソースを確保するためのメッセージを備える、請求項２１の装置。
【請求項２８】
前記判断は、
近隣探索を行うこと、または
前記第１の識別子が識別子のリスト中に見つかるかどうかを判断すること、
を備える、請求項２１の装置。
【請求項２９】
前記第１のメッセージは、前記第１のノード識別子の指示を備え、
前記判断は、前記指示をノード識別子指示のリストと比較することを備える、
請求項２１の装置。
【請求項３０】
前記第１のノード識別子は、物理セル識別子、パイロット識別子、または擬似乱数配列を備え、
前記第２のノード識別子は、セルグローバル識別子、アクセスネットワーク識別子、またはセクタ識別子を備える、
請求項２１の装置。
【請求項３１】
第１のノード識別子によって識別される第１のノード向けの第１のメッセージを受信することと、
第２のノードが前記第１のノード識別子によって識別されるかどうかを判断することと、
前記判断の結果として、前記第１のノードとの通信を確立するために第２のノード識別子の使用を指定する第２のメッセージを送信することと、
をコンピュータに行わせるためのコードを備えるコンピュータ可読媒体、
を備えるコンピュータプログラム製品。
【請求項３２】
前記第１のノード識別子は、第１のタイプの指定されたセル識別子を備え、
前記第２のノードが前記第１のノード識別子によって識別されるかどうかの前記判断は、複数のセルが前記指定されたセル識別子を使用するかどうかを判断することを備える、
請求項３１のコンピュータプログラム製品。
【請求項３３】
前記第２のメッセージは、前記指定されたセル識別子に関連付けられた第２のタイプのセル識別子の要求を備える、請求項３２のコンピュータプログラム製品。
【請求項３４】
前記第１のメッセージは、前記指定されたセル識別子を使用する前記セルのうちの第１のセルからの第１の信号の受信信号強度の第１の指示を備え、
前記コンピュータ可読媒体は、前記受信信号強度の第１の指示と、前記指定されたセル識別子を使用する前記セルのうちの第２のセルからの第２の信号の受信信号強度の第２の指示とに基づいて、セル識別子の混同が生じることがあるかどうかを判断することをコンピュータに行わせるためのコードをさらに備え、
前記第２のメッセージの前記送信は、前記セル識別子の混同が生じることがあるかどうかの前記判断にさらに基づく、
請求項３２のコンピュータプログラム製品。
【請求項３５】
前記コンピュータ可読媒体は、
前記メッセージを送信した第３のノードに、第１のタイプのセル識別子の定義された集合を、送信することと、
前記第３のノードに、前記セル識別子の定義された集合に関連付けられた閾値を送信することであって、前記閾値が、第２のタイプのセル識別子を獲得するかどうかを判断するためのものである、送信することと、
をコンピュータに行わせるためのコードをさらに備える、
請求項３２のコンピュータプログラム製品。
【請求項３６】
ノードに第１のタイプのセル識別子の定義された集合を送信することと、
前記ノードに前記セル識別子の定義された集合に関連付けられた閾値を送信することであって、前記閾値が、第２のタイプのセル識別子を獲得するかどうかを判断するためのものである、送信することと、
前記第２のタイプの前記セル識別子のうちの１つを備える前記ノードからメッセージを受信することと、
を備える通信の方法。
【請求項３７】
前記第１のタイプの前記セル識別子は、物理セル識別子を備え、
前記第２のタイプの前記セル識別子は、グローバルセル識別子を備える、
請求項３６の方法。
【請求項３８】
前記定義された集合は、前記第１のタイプのすべてのセル識別子のサブセットを備え、
前記定義された集合は、別のセルのカバレッジエリア内の複数のセルに割り当てられうるセル識別子を識別する、
請求項３６の方法。
【請求項３９】
前記第１のタイプの共通セル識別子を使用する複数の近隣のセルを識別することによって、前記セル識別子の定義された集合を定義することをさらに備える、請求項３６の方法。
【請求項４０】
前記閾値を定義することをさらに備える、請求項３６の方法。
【請求項４１】
ノードに第１のタイプのセル識別子の定義された集合を送信するように構成された識別子コントローラと、
前記ノードに前記セル識別子の定義された集合に関連付けられた閾値を送信するように構成された閾値コントローラであって、前記閾値が、第２のタイプのセル識別子を獲得するかどうかを判断するためのものである、閾値コントローラと、
前記第２のタイプの前記セル識別子のうちの１つを備える前記ノードからメッセージを受信するように構成された受信機と、
を備える通信のための装置。
【請求項４２】
前記第１のタイプの前記セル識別子は、物理セル識別子を備え、
前記第２のタイプの前記セル識別子は、グローバルセル識別子を備える、
請求項４１の装置。
【請求項４３】
前記定義された集合は、前記第１のタイプのすべてのセル識別子のサブセットを備え、
前記定義された集合は、別のセルのカバレッジエリア内の複数のセルに割り当てられうるセル識別子を識別する、
請求項４１の装置。
【請求項４４】
前記識別子コントローラは、前記第１のタイプの共通セル識別子を使用する複数の近隣のセルを識別することによって、前記セル識別子の定義された集合を定義するようにさらに構成された、請求項４１の装置。
【請求項４５】
前記閾値を定義するように構成された閾値コントローラをさらに備える、請求項４１の装置。
【請求項４６】
ノードに第１のタイプのセル識別子の定義された集合を送信するための手段と、
前記ノードに前記セル識別子の定義された集合に関連付けられた閾値を送信するための手段であって、前記閾値が、第２のタイプのセル識別子を獲得すべきかどうかを判断するためのものである、手段と、
前記第２のタイプの前記セル識別子のうちの１つを備える前記ノードからメッセージを受信するための手段と、
を備える通信のための装置。
【請求項４７】
前記第１のタイプの前記セル識別子は、物理セル識別子を備え、
前記第２のタイプの前記セル識別子は、グローバルセル識別子を備える、
請求項４６の装置。
【請求項４８】
前記定義された集合は、前記第１のタイプのすべてのセル識別子のサブセットを備え、
前記定義された集合は、別のセルのカバレッジエリア内の複数のセルに割り当てられうるセル識別子を識別する、
請求項４６の装置。
【請求項４９】
前記第１のタイプの共通セル識別子を使用する複数の近隣のセルを識別することによって、前記セル識別子の定義された集合を定義するための手段をさらに備える、請求項４６の装置。
【請求項５０】
前記閾値を定義するための手段をさらに備える、請求項４６の装置。
【請求項５１】
ノードに第１のタイプのセル識別子の定義された集合を送信することと、
前記ノードに前記セル識別子の定義された集合に関連付けられた閾値を送信することであって、前記閾値が、第２のタイプのセル識別子を獲得するかどうかを判断するためのものである、送信することと、
前記第２のタイプの前記セル識別子のうちの１つを備える前記ノードからメッセージを受信することと、
をコンピュータに行わせるためのコードを備えるコンピュータ可読媒体、
を備えるコンピュータプログラム製品。
【請求項５２】
前記第１のタイプの前記セル識別子は、物理セル識別子を備え、
前記第２のタイプの前記セル識別子は、グローバルセル識別子を備える、
請求項５１のコンピュータプログラム製品。
【請求項５３】
複数のセルが同一セル識別子を使用するかどうかを判断することと、
前記判断に基づいて測定報告を送信することと、
を備える通信の方法。
【請求項５４】
混同情報の要求を受信することをさらに備え、前記測定報告は、
前記要求に応答して送信され、
前記判断の指示を備える、
請求項５３の方法。
【請求項５５】
前記測定報告は、前記同一セル識別子について複数のエントリを備える、請求項５３の方法。
【請求項５６】
前記セルは、そこから同期信号またはパイロット信号が、
現在受信されている、
定義された時間期間中に受信される、または
定義された数のハンドオーバに関連付けられた時間期間中に受信される、
セルを備える、請求項５３に記載の方法。
【請求項５７】
前記同一セル識別子は、第１のタイプのセル識別子であり、
当該方法は、前記同一セル識別子に関連付けられた第２のタイプのセル識別子を判断することをさらに備え、
前記測定報告は、前記第２のタイプの前記セル識別子をさらに備える、
請求項５３の方法。
【請求項５８】
前記第１のタイプの前記セル識別子は、物理セル識別子を備え、
前記第２のタイプの前記セル識別子は、グローバルセル識別子を備える、
請求項５７の方法。
【請求項５９】
複数のセルが同一セル識別子を使用するかどうかを判断するように構成された混同検出器と、
前記判断に基づいて測定報告を送信するように構成された測定報告生成器と、
を備える通信のための装置。
【請求項６０】
混同情報の要求を受信するように構成された受信機であって、前記測定報告は、
前記要求に応答して送信され、
前記判断の指示を備える、
受信機をさらに備える、請求項５９の装置。
【請求項６１】
前記測定報告は、前記同一セル識別子について複数のエントリを備える、請求項５９の装置。
【請求項６２】
前記セルは、そこから同期信号またはパイロット信号が、
現在受信されている、
定義された時間期間中に受信される、または
定義された数のハンドオーバに関連付けられた時間期間中に受信される、
セルを備える、請求項５９の装置。
【請求項６３】
前記同一セル識別子は、第１のタイプのセル識別子であり、
当該装置は、前記同一セル識別子に関連付けられた第２のタイプのセル識別子を判断するように構成された識別子コントローラをさらに備え、
前記測定報告は、前記第２のタイプの前記セル識別子をさらに備える、
請求項５９の装置。
【請求項６４】
前記第１のタイプの前記セル識別子は、物理セル識別子を備え、
前記第２のタイプの前記セル識別子は、グローバルセル識別子を備える、
請求項６３の装置。
【請求項６５】
複数のセルが同一セル識別子を使用するかどうかを判断するための手段と、
前記判断に基づいて測定報告を送信するための手段と、
を備える通信のための装置。
【請求項６６】
混同情報の要求を受信するための手段をさらに備え、前記測定報告は、
前記要求に応答して送信され、
前記判断の指示を備える、
請求項６５の装置。
【請求項６７】
前記測定報告は、前記同一セル識別子について複数のエントリを備える、請求項６５の装置。
【請求項６８】
前記セルは、そこから同期信号またはパイロット信号が、
現在受信されている、
定義された時間期間中に受信される、または
定義された数のハンドオーバに関連付けられた時間期間中に受信される、
セルを備える、請求項６５の装置。
【請求項６９】
前記同一セル識別子は、第１のタイプのセル識別子であり、
当該装置は、前記同一セル識別子に関連付けられた第２のタイプのセル識別子を判断するための手段をさらに備え、
前記測定報告は、前記第２のタイプの前記セル識別子をさらに備える、
請求項６５の装置。
【請求項７０】
前記第１のタイプの前記セル識別子は、物理セル識別子を備え、
前記第２のタイプの前記セル識別子は、グローバルセル識別子を備える、
請求項６９の装置。
【請求項７１】
複数のセルが同一セル識別子を使用するかどうかを判断することと、
前記判断に基づいて測定報告を送信することと、
をコンピュータに行わせるためのコードを備えるコンピュータ可読媒体、
を備えるコンピュータプログラム製品。
【請求項７２】
前記コンピュータ可読媒体は、混同情報の要求を受信することを前記コンピュータに行わせるためのコードをさらに備え、
前記測定報告は、
前記要求に応答して送信され、
前記判断の指示を備える、
請求項７１のコンピュータプログラム製品。
【請求項７３】
前記測定報告は、前記同一セル識別子について複数のエントリを備える、請求項７１のコンピュータプログラム製品。
【発明の詳細な説明】
【技術分野】
【０００１】
米国特許法第１１９条に基づく優先権の主張
本出願は、各々の開示が参照により本明細書に組み込まれる、２００７年１１月１６日に出願され、代理人整理番号０７２３２６Ｐ１を付与された、同一出願人が所有する米国特許仮出願第６０／９８８，６４６号、２００８年６月６日に出願され、代理人整理番号０８１７６９Ｐ１を付与された米国特許仮出願第６１／０５９，６５４号、２００８年６月１９日に出願され、代理人整理番号０８１８６９Ｐ１を付与された米国特許仮出願第６１／０７４，１１４号、２００８年６月２３日に出願され、代理人整理番号０８１８９３Ｐ１を付与された米国特許仮出願第６１／０７４，９３５号の利益および優先権を主張する。
【０００２】
関連出願の相互参照
本出願は、その開示が参照により本明細書に組み込まれる、２００８年１１月１２日に出願され、代理人整理番号０８１７６９を付与された、「USING IDENTIFIERS TO ESTABLISH COMMUNICATION」と題する、同時に出願され、同一出願人が所有する米国特許出願第１２／２６９，６７６号に関する。
【０００３】
本出願は、一般に通信に関し、より詳細には、限定はしないが、通信ノードに関連する混同を解決することに関する。
【背景技術】
【０００４】
序論
ワイヤレス通信システムは、様々なタイプの通信（たとえば、音声、データ、マルチメディアサービスなど）を複数のユーザに提供するために広く配備されている。高速でマルチメディアなデータサービスの需要が急速に増大するにつれて、向上した性能をもつ効率的で堅牢な通信システムを実装することが課題となっている。
【０００５】
従来のモバイル電話ネットワーク基地局（たとえば、マクロセル）を補うために、小カバレッジ基地局を配備（たとえば、ユーザの家庭に設置）して、より堅牢な屋内ワイヤレスカバレッジをモバイル端末に提供することができる。そのような小カバレッジ基地局は、アクセスポイント基地局、Ｈｏｍｅ  ＮｏｄｅＢ、またはフェムトセルとして一般に知られている。典型的には、そのような小カバレッジ基地局は、ＤＳＬルータまたはケーブルモデムを介してインターネットおよびモバイルオペレータのネットワークに接続される。
【０００６】
実際問題として、所与のエリアに（たとえば、所与のマクロセルのカバレッジエリア内に）比較的多数の基地局（たとえば、フェムトセル）が展開されることがある。そのような場合、ネットワーク中の他のノードがこれらの基地局と通信することができるように、これらの基地局を識別するための効果的な技法が必要である。
【発明の概要】
【０００７】
本開示の例示的な態様の概要について以下で説明する。本明細書における態様という用語への言及は、本開示の１つまたは複数の態様を指すことがあることを理解されたい。
【０００８】
本開示は、一部の様態では、ノード識別子に関連する混同を解決することに関する。たとえば、ネットワーク中の２つ以上のノード（たとえば、アクセスポイント）は、同じ識別子が割り当てられうるように、限られた数のノード識別子が、ネットワーク内で定義されうる。したがって、アクセス端末がソースノードからターゲットノードにハンドオーバされているときに、ターゲットノードの識別に関して混同が生じることがある。そのような混同を解決するための様々な技法について本明細書で説明する。
【０００９】
いくつかの態様では、ターゲットノードにハンドオーバされるアクセス端末は、ターゲットノードに関連付けられた一意識別子を獲得することによって、ターゲットノードに関係する混同を解決することができる。いくつかの実装形態では、アクセス端末は、ハンドオーバ動作を開始するソースノードに、この一意識別子を送信する。他の実装形態では、アクセス端末は、ハンドオーバ動作を開始するためにその一意識別子を使用する。
【００１０】
アクセス端末は、混同を検出するように構成されうる。場合によっては、アクセス端末は、混同を自律的に検出する。たとえば、アクセス端末は、受信信号に関連付けられた識別子を監視し、複数のノードが同じ識別子を使用していることを示す測定報告を生成することができる。
【００１１】
別の例として、信号閾値は、場合によっては混同が生じるものとして識別された識別子の集合に割り当てられうる。次いで、この閾値は、一意の識別子をより獲得することをトリガすることか、またはソースノードでの混同判断動作をトリガすることに、用いられうる。
【００１２】
場合によっては、アクセス端末は、要求に応答して混同を検出する。たとえば、ソースノードは、アクセス端末が測定報告によって混同関連情報を送信することを要求するメッセージを、アクセス端末に周期的に送信することができる。
【００１３】
アクセスポイントは、混同を検出するように構成されうる。たとえば、アクセスポイントは、近隣探索、ハンドオーバ要求で識別されたターゲットノード、または受信された構成情報に基づいて、混同を検出することができる。混同を検出すると、アクセスポイントは、アクセス端末が混同を解決するために一意識別子を獲得することを要求するメッセージを、アクセス端末に送信することができる。場合によっては、このメッセージは、ハンドオーバ動作を開始するために一意識別子を使用するようにアクセス端末に命令することができる。
【００１４】
混同解決は、アクセス端末がターゲットノードに直接アクセスするときにも採用されうる。たとえば、アクセス端末用のリソースがターゲットノードによって獲得される前に、アクセス端末がターゲットノードとの通信を確立した場合、アクセス端末は、ターゲットノードにソースノード用の一意識別子を送信することができる。このようにして、ソースノードによって使用されるノード識別子が潜在的に混同を招くときでも、ターゲットノードは、ソースノードから適切なリソースを獲得することができる。
【００１５】
本開示のこれらおよび他の例示的な態様について、以下の詳細な説明および添付の特許請求の範囲、ならびに添付の図面において説明する。
【図面の簡単な説明】
【００１６】
【図１】図１は、混同を解決するように構成された通信システムのいくつかの例示的な態様の簡略ブロック図である。
【図２】図２は、ワイヤレス通信のためのカバレッジエリアを示す簡略図である。
【図３】図３は、第２のタイプの識別子の使用を指定するために実行されうる動作のいくつかの例示的な態様のフローチャートである。
【図４】図４は、通信ノードにおいて採用されうる構成要素のいくつかの例示的な態様の簡略ブロック図である。
【図５】図５は、ノードと通信するために第２のタイプの識別子を使用するかどうかを判断するために実行されうる動作のいくつかの例示的な態様のフローチャートである。
【図６】図６は、識別子のリストに基づいて、ノードと通信するために第２のタイプの識別子を使用するかどうかを判断するために実行されうる動作のいくつかの例示的な態様のフローチャートである。
【図７】図７は、ソースノードの混同を解決するために実行されうる動作のいくつかの例示的な態様のフローチャートである。
【図８】図８は、第２のタイプの識別子の獲得を要求するかどうかを判断するために実行されうる動作のいくつかの例示的な態様のフローチャートである。
【図９Ａ】図９Ａは、第２のタイプの識別子を獲得するようにアクセス端末をトリガするために実行されうる動作のいくつかの例示的な態様のフローチャートである。
【図９Ｂ】図９Ｂは、第２のタイプの識別子を獲得するようにアクセス端末をトリガするために実行されうる動作のいくつかの例示的な態様のフローチャートである。
【図１０Ａ】図１０Ａは、第２のタイプの識別子を獲得するようにアクセス端末をトリガするために実行されうる動作のいくつかの例示的な態様のフローチャートである。
【図１０Ｂ】図１０Ｂは、第２のタイプの識別子を獲得するようにアクセス端末をトリガするために実行されうる動作のいくつかの例示的な態様のフローチャートである。
【図１１】図１１は、混同を検出するアクセス端末と連携して実行されうる動作のいくつかの例示的な態様のフローチャートである。
【図１２】図１２は、混同を検出するアクセス端末と連携して実行されうる動作のいくつかの例示的な態様のフローチャートである。
【図１３】図１３は、要求時に混同報告を提供するアクセス端末と連携して実行される動作のいくつかの例示的な態様のフローチャートである。
【図１４】図１４は、ワイヤレス通信システムの簡略図である。
【図１５】図１５は、フェムトノードを含むワイヤレス通信システムの簡略図である。
【図１６】図１６は、通信構成要素のいくつかの例示的な態様の簡略ブロック図である。
【図１７】図１７は、本明細書で教示する、混同を解決するように構成された装置のいくつかの例示的な態様の簡略ブロック図である。
【図１８】図１８は、本明細書で教示する、混同を解決するように構成された装置のいくつかの例示的な態様の簡略ブロック図である。
【図１９】図１９は、本明細書で教示する、混同を解決するように構成された装置のいくつかの例示的な態様の簡略ブロック図である。
【図２０】図２０は、本明細書で教示する、混同を解決するように構成された装置のいくつかの例示的な態様の簡略ブロック図である。
【図２１】図２１は、本明細書で教示する、混同を解決するように構成された装置のいくつかの例示的な態様の簡略ブロック図である。
【発明を実施するための形態】
【００１７】
慣例により、図面中に示された様々な特徴は、一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）、または方法の構成要素のすべてを示しているわけではない。最後に、明細書および図の全体にわたって同様の特徴を示すために同様の参照番号が使用されることがある。
【００１８】
本開示の様々な態様について以下で説明する。本明細書の教示は、多種多様な形態で実施でき、本明細書で開示されている特定の構造、機能、またはその両方は、代表的なものにすぎないことは明らかであろう。本明細書の教示に基づいて、本明細書で開示された一態様を他の態様とは無関係に実装することができ、これらの態様のうちの２つ以上を様々な方法で組み合わされうることを、当業者なら諒解されたい。たとえば、本明細書に記載の態様をいくつ使用しても、装置を実装し、または方法を実行することができる。さらに、本明細書に記載の態様のうちの１つまたは複数に加えて、あるいはそれら以外として、他の構造、機能、または構造および機能を使用して、そのような装置が実現されうるし、またはそのような方法が実施されうる。さらに、態様は、請求項の少なくとも１つの要素を備えることができる。
【００１９】
図１に、例示的な通信システム１００（たとえば、通信ネットワークの一部）中のいくつかのノードを示す。説明のために、本開示の様々な態様は、互いに通信する１つまたは複数のアクセス端末、アクセスポイントおよびネットワークノードの文脈で説明される。ただし、本明細書の教示は、他のタイプの装置、または他の用語（たとえば、基地局、ユーザ機器など）を使用して参照される他の同様の装置に適用可能であることを諒解されたい。
【００２０】
システム１００中のアクセスポイントは、関連する地理的エリア内に設置されるか、または関連する地理的エリア全体にわたってローミングする、１つまたは複数のワイヤレス端末（たとえば、アクセス端末１０２）に、１つまたは複数のサービス（たとえば、ネットワーク接続性）を、提供する。たとえば、様々な時点で、アクセス端末１０２は、アクセスポイント１０４、（アクセスポイント１０６および１０８ならびに関連する省略符号によって表される）アクセスポイント１〜Ｎの集合のうちのいずれか１つ、またはアクセスポイント１１０に接続することができる。アクセスポイント１０２〜１１０の各々は、ワイドエリアネットワーク接続性を可能にするために、（便宜上、ネットワークノード１１２によって表される）１つまたは複数のネットワークノードと通信することができる。そのようなネットワークノードは、たとえば、１つまたは複数の無線および／またはコアネットワークエンティティ（たとえば、構成マネージャ、モビリティ管理エンティティ、または何らかの他の好適なネットワークエンティティ）などの様々な形態をとることができる。
【００２１】
システム１００中の各アクセスポイントは、本明細書でノード識別子と呼ぶ第１のタイプの識別子を割り当てられる。様々な実装形態では、そのような識別子は、たとえば、物理セル識別子（physical cell identifier；「ＰＣＩＤ」）、擬似乱数（pseudorandom number；「ＰＮ」）オフセット、または獲得パイロットを備えることができる。一般に、所与のシステムでは一定量（たとえば、５０４）のノード識別子が定義される。そのような場合、アクセスポイントの数がノード識別子の数を超えると、混同が発生することがある。図１はこれの単純な例を示しており、この例では、アクセスポイント１０６とアクセスポイント１１０は、両方とも「識別子１」が割り当てられている。
【００２２】
アクセス端末１０２がシステム１００中をローミングするときに、アクセス端末１０２は、あるアクセスポイント（たとえば、アクセスポイント１０４）から別のアクセスポイント（たとえば、アクセスポイント１１０）にハンドオーバされることがある。アクセス端末１０２をアクセスポイント１１０にハンドオーバするという決定は、アクセス端末１０２がアクセスポイント１１０から特に強い信号を受信しているかどうかに基づきうる。ここで、アクセス端末１０２は、それらの信号に関連付けられた（たとえば、それらの信号内に埋め込まれた）ノード識別子によって、アクセスポイント１１０からの信号を識別する。ハンドオーバを達成するために、ソースアクセスポイント１０４（アクセス端末が現在接続されているアクセスポイント）によって維持される様々な情報が、ターゲットアクセスポイント１１０に転送される。混同がない場合、これは、アクセスポイント１１０に関連付けられたノード識別子（「識別子１」）を使用することによって達成されうる。しかしながら、図１の例のように、混同が存在する場合、アクセスポイント１０４は、その情報をアクセスポイント１０６に送信すべきか、またはアクセスポイント１１０に送信すべきかを、判断することができないことがありうる。
【００２３】
このような混同を解決するために、アクセス端末１０２および／またはアクセスポイント１０４は、混同を検出し、アクセスポイント１１０に関連付けられた第２のタイプの識別子を判断するように構成される。いくつかの態様では、第２のタイプの識別子は一意識別子を備える。たとえば、第２のタイプの識別子は、第１のタイプの識別子よりも大きい領域内で一意とすることができる。いくつかの実装形態では、第２のタイプの識別子は、事業者のネットワーク全体にわたって一意とすることができる。様々な実装形態では、そのような一意識別子は、たとえば、グローバルセル識別子（global cell identifier；「ＧＣＩ」）、アクセスノード識別子（access node identifier；「ＡＮＩＤ」）、セクタ識別子、インターネットプロトコルアドレス、またはネットワーク内でアクセスポイント１１０を一意に識別する何らかの他の識別子を備えることができる。
【００２４】
いくつかの実装形態では、アクセス端末１０２は、システム１００中のノード間の実際の混同または潜在的な混同を検出することができる混同検出器１１４を含む。混同を検出すると、アクセス端末１０２（たとえば、一意識別子コントローラ１１６）は、一意識別子を獲得することができる。たとえば、アクセス端末１０２は、アクセスポイント１１０によって送信された一意識別子を含む信号を監視することができる。混同を検出すると、アクセス端末１０２は、混同および／または一意識別子についてアクセスポイント１０４に通知することができる。
【００２５】
いくつかの実装形態では、アクセスポイント１０４は、システム１００中のノード間の実際の混同または潜在的な混同を検出することができる混同コントローラ１１８を含む。たとえば、混同コントローラ１１８は、混同を自律的に検出することができ、または、アクセス端末１０２から混同の指示を受信すると、混同コントローラ１１８は、混同があるかどうかを判断するためにさらなるステップをとることができる。混同が検出された場合、アクセスポイント１０４は、一意識別子を獲得するようにアクセス端末１０２に要求することができる。
【００２６】
上記のように混同が解決されると、アクセスポイント１０４（たとえば、ハンドオーバコントローラ１２０）は、一意識別子に基づいてハンドオーバ動作を開始することができる。このようにして、アクセス端末１０２は、所望のターゲットアクセスポイントに効率的にハンドオーバされうる。後述するように、いくつかの実装形態では、（たとえば、図示しないハンドオーバコントローラの動作によって）アクセス端末１０２が（たとえば、一意識別子が混同を解決すると）一意識別子に基づいてハンドオーバ動作を開始することができる。
【００２７】
上記の混同は、いくつかのアクセスポイントがマクロカバレッジを提供し、他のアクセスポイントがより小さいカバレッジを提供する、図２に示すようなネットワーク２００中で生じることがある。ここで、マクロカバレッジエリア２０４は、たとえば、一般にマクロセルネットワークまたはワイドエリアネットワーク（wide area network；「ＷＡＮ」）と呼ばれる、３Ｇネットワークなどの広域セルラーネットワークのマクロアクセスポイントによって提供されうる。さらに、より小さいカバレッジエリア２０６は、たとえば、一般にローカルエリアネットワーク（local area network；「ＬＡＮ」）と呼ばれる、住居ベースまたは建築物ベースのネットワーク環境のアクセスポイントによって提供されうる。アクセス端末（access terminal；「ＡＴ」）がそのようなネットワーク中を移動するとき、アクセス端末は、ある位置では、マクロカバレッジを提供するアクセスポイントによって受け持たれうるし、他の位置では、より小さいエリアのカバレッジを提供するアクセスポイントによって受け持たれうる。いくつかの態様では、より小さいエリアのカバレッジのアクセスポイントは、漸増キャパシティ増大と、屋内カバレッジと、様々なサービスとの提供に用いられうるし、これらすべては、より堅牢なユーザ経験をもたらす。
【００２８】
本明細書の説明では、比較的広いエリアにわたるカバレッジを提供するノード（たとえば、アクセスポイント）は、マクロノードと呼ばれうるし、比較的小さいエリア（たとえば、住居）にわたるカバレッジを提供するノードは、フェムトノードと呼ばれうる。本明細書の教示は、他のタイプのカバレッジエリアに関連するノードに適用されうることを諒解されたい。たとえば、ピコノードは、マクロエリアよりも小さく、フェムトエリアよりも大きいエリアにわたるカバレッジ（たとえば、商業建築物内のカバレッジ）を提供できる。様々な適用例では、マクロノード、フェムトノードまたは他のアクセスポイントタイプのノードを指すために他の用語が使用されうる。たとえば、マクロノードは、アクセスノード、基地局、アクセスポイント、ｅノードＢ、マクロセルなどとして構成されうるし、またはそのように呼ばれうる。また、フェムトノードは、Ｈｏｍｅ  ＮｏｄｅＢ、Ｈｏｍｅ  ｅＮｏｄｅＢ、アクセスポイント基地局、フェムトセルなどとして構成されうるし、またはそのように呼ばれうる。いくつかの実装形態では、ノードは、１つまたは複数のセルまたはセクタに関連付け（たとえば、分割）されうる。マクロノード、フェムトノード、またはピコノードに関連付けられたセルまたはセクタは、それぞれ、マクロセル、フェムトセル、またはピコセルと呼ばれうる。
【００２９】
図２の例では、いくつかのトラッキングエリア２０２（またはルーティングエリアまたは位置エリア）が画定されており、そのエリアの各々は、いくつかのマクロカバレッジエリア２０４を含む。ここで、トラッキングエリア２０２Ａ、２０２Ｂおよび２０２Ｃに関連付けられたカバレッジのエリアは、太線によって示され、マクロカバレッジエリア２０４は、六角形によって表される。上述のように、トラッキングエリア２０２は、フェムトカバレッジエリア２０６をも含むことができる。この例では、フェムトカバレッジエリア２０６の各々（たとえば、フェムトカバレッジエリア２０６Ｃ）は、１つまたは複数のマクロカバレッジエリア２０４（たとえば、マクロカバレッジエリア２０４Ｂ）内に示される。ただし、フェムトカバレッジエリア２０６は、完全にマクロカバレッジエリア２０４内にあるわけではないことを諒解されたい。また、１つまたは複数のピコカバレッジエリアまたはフェムトカバレッジエリア（図示せず）は、所与のトラッキングエリア２０２またはマクロカバレッジエリア２０４内に画定されうる。
【００３０】
所与のエリア内にフェムトノードやピコノードなどの多数のアクセスポイントが配置された配備（たとえば、密集した都市での配備）では、これらのアクセスポイントのうちの２つ以上は、同じノード識別子が割り当てられうる。たとえば、マクロカバレッジエリア２０４Ａ中では、フェムトカバレッジエリア２０６Ａおよび２０６Ｄは、同じ識別子が割り当てられうる。そのような場合、アクセス端末を受け持つアクセスポイントの近傍にある複数の近隣のノードは、同じノード識別子を通知するので、ノード識別子の混同（たとえば、ＰＣＩＤの混同）が生じることがある。たとえば、図１において、アクセスポイント１０６および１１０は、それぞれの送信パイロット信号を介して「識別子１」を通知するフェムトノードまたはピコノードを備えることがある。さらに、これらのアクセスポイントの両方が、アクセス端末１０２に現在受け持っているアクセスポイント１０４（たとえば、マクロアクセスポイント）の近くにあることがある。そのような場合、アクセスポイント１０４は、アクセスポイント１０６とアクセスポイント１１０との両方を認識することがあり、したがって、「識別子１」によって識別されるアクセスポイントへのハンドオーバが指示されたとき、混同が生じることがある。
【００３１】
一般に、本明細書で説明する混同解決技法は、任意のタイプのノードに適用されることができうる。ただし、多くの配備では、所与のエリア中のマクロアクセスポイントは、マクロアクセスポイントへのハンドオーバに関連する混同が生じないように計画される。そのような場合、本明細書で教示する混同解決技法は、ネットワーク中の非マクロノードに適用されることができうる。そのような非マクロノードは、たとえば、無計画な方法で配備されたノードを含むことができる。上記のように、そのような非マクロノードは、（たとえば、個人によって配備された）フェムトノード、ならびに事業者によって配備された低電力のピコノードを含むことができる。また、以下でより詳細に論じるように、ノードは、何らかの方法で制限される（たとえば、アクセスについて制限される）ことがありうる。したがって、本明細書で教示する混同解決技法は、制限されたノード（たとえば、限定加入者グループに関連するノード）に適用されることができうる。
【００３２】
上記の概要を念頭において、本明細書の教示による、混同を解決するために採用されうる様々な技法について、図３〜図１３を参照しながら説明する。手短に言えば、図３は、アクセスポイントまたはアクセス端末中で採用されうるいくつかの構成要素を示しており、図４〜図１３のフローチャートは、混同を解決するための様々な技法に関する。
【００３３】
説明のために、図４〜図１３の動作（または本明細書で論じるまたは教示する他の動作）は、特定の構成要素（たとえば、システム１００の構成要素および／または図３に示す構成要素）によって実行されるものとして説明されうる。ただし、これらの動作は、他のタイプの構成要素によって実行されうるし、異なる個数の構成要素を使用して実行されうることを諒解されたい。また、本明細書で説明される動作の１つまたは複数は、所与の実装形態では使用できない場合があることも諒解されたい。
【００３４】
図３は、本明細書で教示する混同解決動作を実行するために、アクセス端末１０２やアクセスポイント１０４などのノードに組み込まれうる、いくつかの例示的な構成要素を示す。記載の構成要素は、通信システム中の他のノードにも組み込まれうる。たとえば、システム中の他のノードは、同様の機能を提供するアクセス端末１０２とアクセスポイント１０４とに関して記載された構成要素と同様の構成要素を含みうる。所与のノードは、記載された構成要素のうちの１つまたは複数を含むことができる。たとえば、アクセス端末は、アクセス端末が複数の周波数上で動作し、および／または種々の技術によって通信できるようにする、複数のトランシーバ構成要素を含むことができる。
【００３５】
図３に示すように、アクセス端末１０２およびアクセスポイント１０４は、それぞれ、他のノードと通信するためのトランシーバ３０２および３０４を含むことができる。トランシーバ３０２は、信号（たとえば、メッセージ）を送信するための送信機３０６と、信号を受信する（たとえば、パイロット信号の探索を行うことを含む）ための受信機３０８とを含む。トランシーバ３０４は、信号を送信するための送信機３１０と、信号を受信するための受信機３１２とを含む。
【００３６】
アクセス端末１０２およびアクセスポイント１０４は、本明細書で教示する混同解決動作と連携して使用されうる他の構成要素をも含む。たとえば、アクセス端末１０２およびアクセスポイントは、それぞれ、他のノードとの通信を管理する（たとえば、メッセージ／指示を送信および受信する）ための、および本明細書で教示する他の関連する機能を与えるための、通信コントローラ３１４および３１６を含むことができる。アクセス端末１０２および／またはアクセスポイント１０４は、それぞれ、混同を検出するための、および本明細書で教示する他の関連する機能を提供するための混同検出器３１８および３２０を含むことができる。アクセス端末１０２および／またはアクセスポイント１０４は、それぞれ、ノード識別子を管理する（たとえば、選択する、獲得する、要求するなど）ための、および本明細書で教示する他の関連する機能を与えるための識別子コントローラ３２２および３２４を含むことができる。図３の他の構成要素の例示的な動作について、以下で説明する。
【００３７】
便宜上、アクセスポイント１０２およびアクセス端末１０４は、図４〜図１３に関連して以下で説明する様々な例で使用される構成要素を含むものとして図３に示されている。実際問題として、図示の構成要素のうちの１つまたは複数は、所与の例で使用されないこともある。一例として、いくつかの実装形態では、アクセス端末１０２は、混同検出器３１８を備えなくてもよく、いくつかの実装形態では、アクセスポイント１０４が混同検出器３２０を含まなくてもよい。
【００３８】
ここで図４および図５を参照すると、いくつかの態様では、第１のタイプの識別子（たとえば、ＰＮオフセット、ＰＣＩＤなど）に関連する混同は、ハンドオーバまたは他の動作と連携して第２のタイプの識別子（たとえば、ＡＮＩＤ、ＧＣＩなど）の使用を指定することによって解決されうる。
【００３９】
この方式は、たとえば、マクロアクセスポイントに接続されたアクセス端末が、近くのフェムトノード（たとえば、ホームフェムトノード）の探索を作動させるときに、用いられうる。アクセス端末がフェムトノードから信号を検出すると、アクセス端末は、その信号から第１のタイプの識別子（たとえば、パイロットＩＤ、セクタＩＤ、ＰＣＩＤなど）を得ることができる。受信信号強度が閾値を上回る場合、および／またはアクセス端末が、発見されたフェムトノードにアクセスすることを許可された（たとえば、そのアクセスポイントがアクセス端末の優先ローミングリストに記載されている）場合、アクセス端末は、このアクセスポイントを、そのアクセス端末用のアクティブセットに追加することができる。
【００４０】
マクロアクセスポイントからこのフェムトノードに対してルート開放を行う第１のアクセス端末は、マクロアクセスポイントにおいて第１のタイプの識別子と第２のタイプの識別子（たとえば、ＡＮＩＤ、ＧＣＩなど）との間のマッピングを確立する。ここで、アクセス端末から第２のタイプの識別子を受信すると、マクロアクセスポイントは、そのフェムトノードを用いて近隣探索（neighbor discovery）を開始することができる。
【００４１】
マクロカバレッジ中で第１のタイプの同じ識別子をもつ後続のフェムトノードが存在すると、マクロアクセスポイントは、第１のタイプの共通の識別子を使用している複数のアクセスポイントがあると判断する（すなわち、この識別子に対する混同を検出する）。ここで、マクロアクセスポイントは、たとえば、近隣探索から、または混同を発見したアクセス端末からメッセージを受信することによって、これらの他のフェムトノードの存在を発見することができる。次いで、マクロアクセスポイントは、混同が生じる識別子を含むメッセージ（たとえば、ルート開放）を受信するときはいつでも、常に第２のタイプの識別子を要求することができる。アクセス端末から第２のタイプの識別子を受信すると、マクロアクセスポイントは、そのフェムトノードを用いて近隣探索を開始することができる。
【００４２】
さらに、いくつかの実装形態では最適化として、アクセス端末は、デフォルトで第２のタイプの識別子をもつメッセージを送信することができる。たとえば、アクセス端末は、ホームフェムトノードに対するルート開放または他のメッセージを送信するときに、常に第２のタイプの識別子を使用することができる。
【００４３】
最初に図４を参照すると、ブロック４０２によって表されるように、アクセスポイント（たとえば、アクセスポイント１０４）は、第１のノード識別子によって識別されたノード（たとえば、アクセスポイント１１０などのターゲットノード）に向けられたメッセージをアクセス端末から受信する。たとえば、上述のように、アクセス端末は、ＰＮオフセットを含むルート開放要求、または何らかの他のタイプの識別子を含む何らかの他のタイプのメッセージを受信することができる。そのようなメッセージは様々な形態をとることができることを諒解されたい。たとえば、様々な実装形態では、そのメッセージは、ハンドオーバ用のリソースをセットアップするためのメッセージ、ハンドオーバ要求、アクティブセット追加要求、干渉管理シグナリング、信号強度測定報告、または少なくとも１つのリソースを確保するためのメッセージを含むことができる。
【００４４】
ブロック４０４で表されるように、アクセスポイントは、別のノードが第１のノード識別子によって識別されたかどうかを判断する。アクセスポイントは、様々な方法でそのような混同を検出することができる。たとえば、上述のように、アクセスポイントは、近隣のノードによって使用される識別子を示す１つまたは複数のアクセス端末から、メッセージを受信することができる。場合によっては、アクセスポイントは、近隣探索を行い、２つ以上の近隣のノードが同じ識別子を使用していると判断することができる。場合によっては、アクセスポイントは、どの識別子がそのアクセスポイントの近隣のノードによって使用されているかを示す構成情報を（たとえば、図１のノード１１２によって表される構成マネージャから）受信することができる。場合によっては、ブロック４０４の動作は、その識別子がアクセスポイントによって維持される識別子のリスト中にあるかどうかを判断することを含むことができる。本明細書で論じるように、識別子のこのリストは、たとえば、混同なしであることが保証されていない識別子、潜在的に混同が生じる識別子、または混同が生じると判断された識別子を含むことができる。いくつかの態様では、識別子のリストは、識別子の値の範囲を含むことができる。
【００４５】
ブロック４０６および４０８で表されるように、混同が検出されなかった場合、アクセスポイントは、第１のノード識別子に基づいて適切な動作（たとえば、ハンドオーバ動作）を実行することができる。
【００４６】
ブロック４１０で表されるように、混同が検出された場合、アクセスポイントは、アクセス端末がそのノードとの通信を確立するための第２のノード識別子（たとえば、ＡＮＩＤ）を使用することを指定したメッセージをアクセス端末に送信する。そのようなメッセージは様々な形態をとることができる。たとえば、そのメッセージは、アクセス端末に別の識別子を使用するように命令する拒否メッセージ（たとえば、ルート開放拒否）を含むことができる。
【００４７】
次いで、ブロック４１２で表されるように、アクセスポイントは、アクセス端末から第２のノード識別子を含むメッセージを受信することができる。アクセスポイントは、第２のノード識別子に基づいて、適切な動作（たとえば、ハンドオーバ動作）を実行することができる。いくつかの実装形態では、これは、第２のノード識別子を含むメッセージを、ターゲットノードにトンネリングすることを伴う。
【００４８】
いくつかの態様では、図４の動作は（たとえば、アクティブセット追加動作と連携して）ハンドオーバ動作用のバックホールを介してリソースを確保することに関する。さらに、混同が生じるノードは、いくつかの態様では制限され（たとえば、関連付けについて制限され、または後述するように何らかの他の方法で制限され）うるし、これらの動作は、制限されたノード用のリソースを確保することに関することもありえる。
【００４９】
図５は、いくつかの態様における、ノードとの通信を確立するために混同が生じない識別子の使用を指定することに関する。いくつかの態様では、これらの動作は、図４の動作のうちのいくつかの補足となりうる。
【００５０】
ブロック５０２で表されるように、アクセス端末（たとえば、アクセス端末１０２）は、第１のノード識別子によって識別されたターゲットノードにメッセージを送信することを選択する。上述のようにブロック４０２では、このメッセージは、関連するアクセスポイント（たとえば、アクセスポイント１０４）を介して送信されうる。
【００５１】
ブロック５０４で表されるように、アクセス端末は、別のノードが第１のノード識別子によって識別されうるかどうかを判断する。この判断は、様々な方法で行われうる。上述のように、アクセス端末は、第１のノード識別子を使用してアクセスポイント１０４にメッセージを送信して、混同があることを示す（および、第２のノード識別子の使用を指定する）メッセージをアクセスポイント１０４から受信することがある。場合によっては、この判断は、ターゲットノードと通信することを試みることと、通信が許可されていないことを示すメッセージをターゲットノードから受信することとを含みうる。そのような拒否メッセージは、アクセス端末のための状況が、ノード識別子の混同によって、意図されたターゲットノード以外のノードに送信されたため、受信されうる。また、アクセス端末は、近隣のアクセスポイントから受信する、それらのアクセスポイントによって使用される識別子を示す信号に基づいて、混同を識別することができる。
【００５２】
ブロック５０６および５０８で表されるように、混同が検出されなかった場合、アクセス端末は、ターゲットノードとの通信を確立するために、第１のノード識別子を使用することができる。
【００５３】
ブロック５１０で表されるように、混同が検出された場合、アクセス端末は、ターゲットノードとの通信を確立するために、第２のノード識別子を使用することができる。
【００５４】
さらに、ブロック５１２で表されるように、アクセス端末は、ターゲットノードとの通信を確立するために、第２のノード識別子を使用するように構成されうる。たとえば、アクセス端末は、アクセス端末が混同を検出した後に、このように構成されうる。あるいは、本明細書で論じるように、アクセス端末は、デフォルトで第２のノード識別子を送信することができる。
【００５５】
図６は、いくつかの態様では、混同解決を単純化するために、非マクロノードのためのノード識別子空間（たとえば、ＰＣＩＤ空間）のサブセットを確保することに関する。このようにして、サブセットから識別子を受信するノードは、混同が起こりうる、または混同の可能性があることを容易に判断することができる。いくつかの実装形態では、サブセットは、混同なしではないものとして指定されたアクセスポイントに関連付けられた指定された値の集合を備える。いくつかの実装形態では、サブセットは、（たとえば、後述の）限定加入者グループに関連付けられた指定された値の集合を備える。いくつかの実装形態では、サブセットは、少なくとも１つの指定されたタイプ（たとえば、ノードタイプ）のアクセスポイントに関連付けられた指定された値の集合を備える。そのような指定されたタイプは、たとえば、送信電力、カバレッジエリア、または中継器機能のうちの１つまたは複数に関係しうる。
【００５６】
ブロック６０２で表されるように、アクセス端末（たとえば、アクセス端末１０２）はノード識別子のリストを受信する。このリストは、たとえば、上述のノード識別子のサブセットを備えることができる。いくつかの実装形態では、このリストは、リストを通知する受け持ちのアクセスポイント（たとえば、アクセスポイント１０４）から受信されうる。いくつかの実装形態では、ターゲットアクセスポイントまたは（たとえば、近隣リスト情報を介した）何らかの他のアクセスポイントは、ターゲットアクセスポイントにアクセスするときに識別子の第２のタイプ（たとえば、ＧＣＩ）が使用されることになるという指示を通知することができる。いくつかの実装形態では、このリストは、リストから識別子を割り当てられたノードの確保された集合の追跡を続ける構成マネージャ（たとえば、ネットワークノード１１２）から受信されうる。
【００５７】
ブロック６０４で表されるように、アクセス端末は、ターゲットアクセスポイントと通信するための第１の識別子を判断する。たとえば、本明細書で論じるように、そのような識別子は、パイロット信号または何らかの他の好適な信号を介して受信されうる。
【００５８】
ブロック６０６で表されるように、アクセス端末は、アクセスポイントとの通信を確立するための第２の識別子（たとえば、ＧＣＩ）を使用するかどうかを（たとえば、自律的に）判断することができる。いくつかの態様では、この判断は、（たとえば、第１の識別子のタイプを判断することによって）第１の識別子に基づくことができる。たとえば、ブロック６０４において取得された識別子が、ブロック６０２において取得されたリスト上にある場合、アクセス端末は、第２の識別子を獲得することができる。ここで、第２の識別子を獲得することは、第２の識別子を含む（ターゲットアクセスポイントからの）他の信号を監視することを備えることができる。一例として、ターゲットアクセスポイントは、第１の識別子を送信するターゲットアクセスポイントにおける間隔よりも少ない頻度の間隔で、第２の識別子を送信することができる。
【００５９】
ブロック６０８で表されるように、アクセス端末は、ターゲットアクセスポイントとの通信を確立するために第２の識別子を備えるメッセージを送信することができる。このメッセージは、様々なシナリオで様々な形式をとることができる。たとえば、メッセージは、信号強度測定メッセージ、無線リソース報告、またはハンドオーバ要求を備えることができる。典型的な実装形態では、アクセス端末（たとえば、アクセス端末１０２）は、アクセス端末がその受け持ちのアクセスポイント（たとえば、アクセスポイント１０４）に送信する測定報告の、関連するＰＣＩＤ値とＧＣＩ値とを含む。さらに、図７に関連して以下で説明するように、ある状況では、アクセス端末は、この情報をターゲットアクセスポイントに送信することができる。
【００６０】
ブロック６１０で表されるように、この情報を受信すると、受け持ちのアクセスポイントは、ＧＣＩ値を使用してハンドオーバ手順を開始することができる。したがって、受け持ちのアクセスポイントは、ターゲットセルにおいてリソースをセットアップし、アクセス端末にハンドオーバコマンドを送信することになる。
【００６１】
いくつかの態様では、図７は、ターゲットアクセスポイントに与えられることになる識別子を選択することに関係し、その識別子は、ソースアクセスポイントに関連付けられる。たとえば、アクセス端末は、そのアクセス端末がハンドオーバの事前準備なしに、直接ターゲットアクセスポイントにアクセスする場合、ソースアクセスポイントのＧＣＩを使用することができる。この場合、アクセス端末は、ターゲットアクセスポイントにアクセスしながら、ソースアクセスポイントのＧＣＩを含むことができる。これは、ターゲットアクセスポイントがソースアクセスポイントの識別情報に関する混同を解決することを可能にする。次いで、ターゲットアクセスポイントは、適切なソースアクセスポイントからアクセス端末のための状況を取り出し、ハンドオーバを完了することができる。これらの動作について、図７のブロック７０２〜７０６で説明されている。
【００６２】
ブロック７０２で表されるように、アクセス端末は、ターゲットアクセスポイント（たとえば、アクセスポイント１１０）に関連付けられた識別子の集合（たとえば、ＰＣＩＤなどの第１の識別子およびＧＣＩなどの第２の識別子）のうちの識別子（たとえば、ＧＣＩ）を選択する。いくつかの態様では、第２の識別子の選択は、図６に関連して上述したのと同様の方法で、第１の識別子が（たとえば、アクセスポイントのノードタイプに基づいて、非混同なしとして指定されるなど）識別子の受信されたリスト中にあるかどうかに基づくことができる。上述のように、いくつかの態様では、第２の識別子の選択は、ソースアクセスポイント（たとえば、アクセスポイント１０４）との通信の損失に基づくことができる。
【００６３】
ブロック７０４で表されるように、アクセス端末は、ターゲットアクセスポイントとの通信を確立するとき、選択された識別子をターゲットアクセスポイントに送信する。たとえば、アクセス端末は、接続要求メッセージ中にソースアクセスポイントのＧＣＩを含むことができる。
【００６４】
次いで、ブロック７０６で表されるように、ソースアクセスポイントは、ソースアクセスポイントとの通信を確立するために、および／またはソースアクセスポイントから構成情報を取得するために、選択された識別子を使用することができる。このようにして、ソースアクセスポイントは、ハンドオーバを完了するために、アクセス端末のための状況の情報を取得することができる。
【００６５】
いくつかの態様では、図８は、ノード識別子の混同を検出し、アクセスポイントおよび／またはアクセス端末が、解決することに関連して、実行することができる動作に関する。いくつかの態様では、これらの動作は、図５に関連して上述した動作を補足する。
【００６６】
ブロック８０２で表されるように、アクセスポイント（たとえば、アクセスポイント１０４）は、複数のノードが同じ第１のタイプ（たとえば、ＰＣＩＤ）の識別子を使用するかどうかを判断する。上述のように、アクセスポイントは、測定報告、近隣探索、および受信されたメッセージに基づいて、そのような混同を検出することができる。
【００６７】
ブロック８０４および８０６で表されるように、混同が検出されなかった場合、アクセスポイントは、通常動作を続けることができる。たとえば、アクセスポイントは、測定報告によって受信された第１のタイプの識別子に基づいて、ハンドオーバを実行すべきかどうかを判断することができる。
【００６８】
ブロック８０８で表されるように、混同が検出された場合、アクセスポイントは、混同が生じる第１のタイプの識別子に関連付けられた、第２のタイプの識別子を取得する要求を出すことができる。たとえば、混同が生じるＰＣＩＤが測定報告によってアクセス端末（たとえば、アクセス端末１０２）から受信された場合、アクセスポイントは、ＰＣＩＤに関連付けられたＧＣＩを獲得するための要求をアクセス端末に送信することができる。次いで、アクセス端末は、たとえば、本明細書で論じるように、ＧＣＩを獲得することができる。
【００６９】
次いで、ブロック８１０で表されるように、アクセスポイントは、アクセス端末からＧＣＩを含む応答を受信することができる。ここで、（たとえば、アクセスポイントにおいて）混同が解決されると、ブロック８１２において、ハンドオーバ動作を（たとえば、アクセスポイントによって）受信されたＧＣＩを使用して開始することができる。
【００７０】
いくつかの態様では、図９Ａおよび図９Ｂは、一意識別子（たとえば、ＧＣＩ）の獲得を駆動するための閾値の使用に関する。場合によっては、アクセス端末は、いつ一意識別子を獲得するべきかを自律的に、すなわち、別のノード（たとえば、アクセスポイント）によってそうするように指示されることなく、判断することができる。
【００７１】
ブロック９０２で表されるように、アクセス端末は、第１のタイプの識別子の定義された集合（たとえば、上述したノード識別子のリスト）を受信することができる。いくつかの実装形態では、この情報は、受け持ちのアクセスポイントによって（たとえば、識別子コントローラ３２４によって）または何らかの他のノードによって定義されうるし、および／または提供されうる。たとえば、受け持ちのアクセスポイントは、混同が生じるか、または生じうるＰＣＩＤ識別子のすべてを識別することができ、これらの識別子のリストをアクセス端末に供給することができる。
【００７２】
ブロック９０４で表されるように、アクセス端末は、識別子の定義された集合に関連付けられた閾値をも受信することができる。たとえば、この閾値は、アクセス端末によってＧＣＩ獲得を駆動する受信信号に対する閾値信号強度値を指定することができる。いくつかの実装形態では、この閾値は、受け持ちのアクセスポイントによって（たとえば、閾値コントローラ３３４によって）、または何らかの他のノードによって定義され、および／または提供されうる。たとえば、この閾値は、ハンドオーバ動作を駆動する受信信号強度閾値よりも（たとえば、数ｄＢだけ）低くなるように定義されうる。いくつかの実装形態では、閾値は、ターゲットアクセスポイント信号強度からの相対的なオフセットとして、または、ターゲットアクセスポイントからの搬送波対干渉波（carrier-to-interference「Ｃ／Ｉ」）値のための絶対的な閾値として指定されうる。
【００７３】
ブロック９０６で表されるように、アクセス端末は、ある時点で、第１のタイプの識別子に関連付けられた信号を受信する。ブロック９０８で表されるように、アクセス端末（たとえば、コンパレータ３３０）は、受信された識別子が識別子のリスト中にあるかどうかを判断することができる。さらに、アクセス端末（たとえば、受信機３０８中に実装されるかまたは受信機３０８と連携して動作する信号処理器３３２）は、ブロック９０６によって受信された信号の受信信号強度が閾値以上であるかどうかを判断する。
【００７４】
ブロック９１０および９１２で表されるように、ブロック９０８の基準が満たされない場合、アクセス端末は、近隣のアクセスポイントからの信号を監視し続けることができる。
【００７５】
ブロック９１４で表されるように、ブロック９０８の基準が満たされた場合、アクセス端末は、ブロック９０６において受信された識別子に関連付けられた第２のタイプの識別子（たとえば、ＧＣＩ）を獲得する。上述のように、これは、特定の周期で送信信号を監視することを伴う。
【００７６】
ブロック９１６で表されるように、アクセス端末（たとえば報告生成器３２８）は、ブロック９０６および９１０において獲得された識別子と、関連付けられた信号（たとえば、ブロック９０６において受信された信号）の受信信号強度とを含むメッセージをアクセスポイントに送信する。このメッセージは、一意識別子がブロック９１０において獲得された直後に、または何らかの他の時に、送信されうる。いくつかの実装形態では、この情報は測定報告中で送信される。たとえば、（たとえば、ターゲットアクセスポイントからの）受信信号の受信信号強度がハンドオーバ閾値を超えると、この報告を送信することができる。
【００７７】
ブロック９１８で表されるように、混同がここで解決されるので、アクセスポイント（たとえば、ハンドオーバコントローラ３２６）は、このメッセージ中で与えられた識別子と受信信号強度とに基づいて、ハンドオーバ動作を開始するかどうかを判断する。本明細書で論じるように、ハンドオーバ動作が示される場合、アクセスポイントは、ターゲットアクセスポイントを準備するために、一意識別子を使用して、ハンドオーバコマンドをアクセス端末に送信することになる。
【００７８】
いくつかの態様では、図９の方式は、高いモビリティ環境で有利なことを立証できる。たとえば、この方式は、ターゲットアクセスポイントの信号強度がハンドオーバを必要とするのに十分強くなる前に、ＧＣＩは読み取られうるので、より高速のハンドオーバを行うことができる。
【００７９】
いくつかの態様では、図１０Ａおよび図１０Ｂは、アクセス端末がアクセスポイントに閾値（たとえば、ＧＣＩ閾値）を超えた信号の受信を報告する方式に関する。この場合、アクセスポイントは、混同が起こりうるかどうかを判断することができ、そうである場合、一意識別子（たとえば、ＧＣＩ）を獲得するようにアクセス端末に指示することができる。ここで、ブロック１００２〜１０１２の動作はそれぞれ、ブロック９０２〜９１２の動作と同様の場合がある。
【００８０】
ただし、ブロック１０１０において基準が満たされた場合、ブロック１０１４において、アクセス端末は、ブロック１００６において獲得された識別子と、関連付けられた信号の受信信号強度とを含むメッセージをアクセスポイントに送信する。このメッセージは、ブロック１００６において識別子が獲得された直後に、または何らかの他の時に送信されうる。いくつかの実装形態では、この情報は、測定報告中で送信される。
【００８１】
ブロック１０１６で表されるように、アクセスポイントは、受信された情報に基づいて混同の可能性があるかどうかを判断する。たとえば、この判断は、複数のノードが同じ識別子を使用するかどうかに基づくことができる。さらに、この判断は、この識別子を含む任意の検出された信号の受信信号強度に随意に基づくことができる。
【００８２】
ブロック１０１８および１０２０で表されるように、混同が検出されなかった場合、アクセスポイントは通常動作を続けることができる。たとえば、アクセスポイントは、測定報告によって受信された第１のタイプの識別子に基づいて、ハンドオーバを実行すべきかどうかを判断することができる。
【００８３】
ブロック１０２２で表されるように、混同が検出された場合、アクセスポイントは、混同が生じる識別子に関連付けられた一意識別子（たとえば、ＣＧＩ）を獲得するようにアクセス端末に要求したメッセージをアクセス端末に送信する。ブロック１０２４で表されるように、次いで、アクセス端末は、本明細書で論じる識別子を獲得し、（たとえば、測定報告によって）識別子をアクセスポイントに送信することができる。
【００８４】
ブロック１０２６および１０２８で表されるように、アクセスポイントは、それによって混同を解決し、（たとえば、本明細書で論じるように）一意識別子と受信信号強度とに基づいてハンドオーバを開始すべきかどうかを判断する。
【００８５】
いくつかの態様では、図１１は、アクセス端末による衝突検出（たとえば、自律検出）に関する。特に、この方式は、衝突情報をもつ測定報告を与えるアクセス端末に関する。
【００８６】
ブロック１１０２で表されるように、アクセス端末は、所与の第１のタイプの識別子について衝突を検出する。たとえば、監視されたパイロット信号または他の好適な信号に基づいて、アクセス端末は、複数のアクセスポイントが本明細書で論じるように同じＰＣＩＤを使用すると判断することができる。
【００８７】
ブロック１１０４で表されるように、アクセス端末は、衝突が示された識別子に関連付けられた第２のタイプの識別子（たとえば、ＧＣＩ）を随意に獲得することができる。この場合も、この動作は、上述のように実行されうる。
【００８８】
ブロック１１０６で表されるように、アクセス端末は、衝突が示された識別子について複数のエントリを含む測定報告を送信する。たとえば、２つのアクセス端末が１２というＰＣＩＤ値を使用する場合、測定報告は１２というＰＣＩＤ値に対応する２つの別個のエントリを含むことができる。さらに、測定報告は、これらのエントリの各々に関連付けられた一意識別子（たとえば、ＧＣＩ）を随意に含むことができる。
【００８９】
いくつかの態様では、図１２は、アクセス端末による自律衝突検出に関する。特に、この方式は、衝突を検出した場合、測定報告を送信するアクセス端末に関する。
【００９０】
ブロック１２０２で表されるように、アクセス端末は、第１のタイプの所与の識別子について衝突を検出する。上記のように、アクセス端末は、複数のアクセスポイントが、本明細書で論じるように、監視されたパイロット信号または他の好適な信号に基づいて、同じＰＣＩＤを使用すると判断することができる。
【００９１】
いくつかの態様では、衝突の検出は、少なくとも２つのノードがこの同じ識別子を現在使用しているかどうか、または同じ識別子を最近使用したかどうかに基づいて、示されうる。たとえば、衝突は、アクセス端末が、同じＰＣＩＤを使用する複数のアクセスポイントから同期信号またはパイロット信号を現在受信している場合、示されることがある。さらに、衝突は、アクセス端末が、定義された時間期間（たとえば、最後の１０秒）内で複数のアクセスポイントから、同期信号またはパイロット信号を受信した場合、示されることがある。ある条件の下、この時間期間は、（たとえば、非常に動きの速いアクセス端末について）０に設定されうる。また、衝突は、アクセス端末が、ハンドオーバの定義された数（たとえば、最後の４回のハンドオーバ）に関連付けられた時間期間にわたって、複数のアクセスポイントから同期信号またはパイロット信号を受信した場合、示されることがある。この後者の方式は、所望の地理的エリアをカバーするために、動きの遅いアクセス端末が、報告を送信することを有利にさせる。言い換えれば、この方式は、より広い地理的エリアにわたって反復するノード識別子を検出することを可能にする。
【００９２】
ブロック１２０４で表されるように、アクセス端末は、衝突が示された識別子に関連付けられた第２のタイプの識別子（たとえば、ＧＣＩ）を随意に獲得することができる。この場合も、この動作は、上述のように実行できる。
【００９３】
ブロック１２０６で表されるように、ブロック１２０２において衝突が検出された場合、アクセス端末は、測定報告を送信する。さらに、測定報告は、これらのエントリの各々に関連付けられた一意識別子（たとえば、ＧＣＩ）を随意に含むことができる。
【００９４】
いくつかの態様では、図１３は、要求時に衝突報告を与えるアクセス端末に関する。ブロック１３０２で表されるように、アクセス端末は、衝突報告の要求を受信する。たとえば、ネットワークは、衝突情報をもつ測定報告を送信するように、アクセス端末に周期的に要求することができる。この要求は、衝突情報が要求される１つまたは複数の識別子（たとえば、ＰＣＩＤ）を指定することができる。この識別子は、要求しているノード（たとえば、受け持ちのアクセスポイント）の識別子でありうる。あるいは、この要求は、ワイルドカード識別子を含むことができ、アクセス端末は、すべての検出された衝突を報告するように要求される。ブロック１３０４で表されるように、アクセス端末は、近隣のアクセスポイントからの信号を監視し、該当する場合、衝突を検出する（ブロック１３０６）。ブロック１３０８で表されるように、ブロック１３０６において衝突が検出された場合、アクセス端末は衝突報告を送信する。アクセス端末が衝突情報を有しない場合、アクセス端末は、「事象なし」メッセージで応答するか、またはいかなる応答をも与えない。図１１〜図１３の動作の１つまたは複数は、異なる実装形態において様々な方法で組み合わされうることを諒解されたい。
【００９５】
上述のように、本明細書の教示は、マクロアクセスポイントおよびフェムトノードを使用するネットワーク中に実装されうる。図１４および図１５は、アクセスポイントがそのようなネットワーク中でどのように配備されるかの例を示す。図１４は、ワイヤレス通信システム１４００のセル１４０２（たとえば、マクロセル１４０２Ａ〜１４０２Ｇ）が、対応するアクセスポイント１４０４（たとえば、アクセスポイント１４０４Ａ〜１４０４Ｇ）によってどのように受け持たれうるかを、簡略化した形で示す。ここで、マクロセル１４０２は、図２のマクロカバレッジエリア２０４に対応することができる。図１４に示すように、アクセス端末１４０６（たとえば、アクセス端末１４０６Ａ〜１４０６Ｌ）は、時間とともにシステム全体にわたって様々な位置に分散されうる。各アクセス端末１４０６は、たとえば、アクセス端末１４０６がアクティブかどうか、およびアクセス端末１４０６がソフトハンドオーバ中かどうかに応じて、所与の瞬間に、順方向リンク（forward link；「ＦＬ」）および／または逆方向リンク（reverse link；「ＲＬ」）上で１つまたは複数のアクセスポイント１４０４と通信することができる。このセルラー方式を使用して、ワイヤレス通信システム１４００は、大きい地理的領域にわたってサービスを提供することができる。たとえば、マクロセル１４０２Ａ〜１４０２Ｇの各々は、近隣内の数ブロックまたは地方環境の数平方マイルをカバーすることができる。
【００９６】
図１５に、１つまたは複数のフェムトノードがネットワーク環境（たとえば、システム１４００）内でどのように配備されるかの一例を示す。図１５のシステム１５００では、複数のフェムトノード１５１０（たとえば、フェムトノード１５１０Ａおよび１５１０Ｂ）が、比較的小さいエリアカバレッジネットワーク環境中に（たとえば、１つまたは複数のユーザ住居１５３０中に）設置される。各フェムトノード１５１０は、ＤＳＬルータ、ケーブルモデム、ワイヤレスリンク、または他の接続手段（図示せず）を介して、広域ネットワーク１５４０（たとえば、インターネット）および携帯電話事業者コアネットワーク１５５０に結合できる。
【００９７】
フェムトノード１５１０の所有者は、たとえば、携帯電話事業者コアネットワーク１５５０を介して提供される３Ｇモバイルサービスなどの、携帯電話サービスに加入することができる。さらに、アクセス端末１５２０は、マクロ環境と、より小さいカバレッジ（たとえば、住居）ネットワーク環境の両方で動作することが可能である。言い換えれば、アクセス端末１５２０の現在位置に応じて、アクセス端末１５２０は、携帯電話事業者コアネットワーク１５５０に関連付けられたマクロセルアクセスポイント１５６０によって、または、フェムトノード１５１０の集合のいずれか１つ（たとえば、対応するユーザ住居１５３０内に常駐するフェムトノード１５１０Ａおよび１５１０Ｂ）によって受け持たれることがある。たとえば、加入者が自宅の外にいるとき、加入者は、標準のマクロアクセスポイント（たとえば、アクセスポイント１５６０）によって受け持たれ、加入者が自宅の近く、または自宅の中にいるとき、加入者は、フェムトノード（たとえば、ノード１５１０Ａ）によって受け持たれうる。ここで、フェムトノード１５１０は、レガシーアクセス端末１５２０と後方互換性がありうる。
【００９８】
フェムトノード１５１０は、単一の周波数上に展開でき、または代替として、複数の周波数上に展開できる。特定の構成に応じて、単一の周波数、あるいは複数の周波数のうちの１つまたは複数は、マクロアクセスポイント（たとえば、アクセスポイント１５６０）によって使用される１つまたは複数の周波数と重なることがある。
【００９９】
いくつかの態様では、アクセス端末１５２０は、そのような接続性が可能であるときはいつでも、好ましいフェムトノード（たとえば、アクセス端末１５２０のホームフェムトノード）に接続するように構成されうる。たとえば、アクセス端末１５２０Ａがユーザの住居１５３０内にあるときはいつでも、アクセス端末１５２０Ａがホームフェムトノード１５１０Ａまたは１５１０Ｂのみと通信することが望ましい。
【０１００】
いくつかの態様では、アクセス端末１５２０がマクロセルラーネットワーク１５５０内で動作しているが、（たとえば、優先ローミングリスト中に定義された）その最も好ましいネットワーク上に常駐していない場合、アクセス端末１５２０は、ベターシステムリセレクション（Better System Reselection；「ＢＳＲ」）を使用して、最も好ましいネットワーク（たとえば、優先フェムトノード１５１０）を探索し続けることができ、ベターシステムリセレクションでは、より良好なシステムが現在利用可能であるかどうかを判断するために利用可能なシステムの周期的なスキャンを行い、以後、そのような優先システムに関連付けるために取り組むことができる。獲得エントリを用いて、アクセス端末１５２０は、特定の帯域およびチャネルの探索を制限することができる。たとえば、最も好ましいシステムの探索を周期的に繰り返すことができる。優先フェムトノード１５１０が発見されると、アクセス端末１５２０は、そのカバレッジエリア内にキャンプするためにフェムトノード１５１０を選択する。
【０１０１】
フェムトノードは、いくつかの態様では、制限されることがある。たとえば、所与のフェムトノードは、いくつかのサービスをいくつかのアクセス端末のみに提供することができる。いわゆる制限（または限定）関連付けを用いた配備では、所与のアクセス端末は、マクロセルモバイルネットワークと、フェムトノードの定義された集合（たとえば、対応するユーザ住居１５３０内に常駐するフェムトノード１５１０）とによってのみサービスされうる。いくつかの実装形態では、ノードは、少なくとも１つのノードにシグナリング、データアクセス、登録、ページング、またはサービスのうちの少なくとも１つを提供しないように制限されうる。
【０１０２】
いくつかの態様では、（限定加入者グループＨｏｍｅ  ＮｏｄｅＢ（Closed Subscriber Group Home NodeB）と呼ばれることもある）制限されたフェムトノードは、サービスを、アクセス端末の、制限され準備された集合に提供するノードである。この集合は、必要に応じて、一時的にまたは永続的に拡大できる。いくつかの態様では、限定加入者グループ（Closed Subscriber Group；「ＣＳＧ」）は、アクセス端末の共通のアクセス制御リストを共有するアクセスポイント（たとえば、フェムトノード）の集合として定義されうる。領域中のすべてのフェムトノード（または、制限されたすべてのフェムトノード）が動作するチャネルは、フェムトチャネルと呼ばれうる。
【０１０３】
したがって、様々な関係が、所与のフェムトノードと所与のアクセス端末との間に存在しうる。たとえば、アクセス端末の観点から、解放フェムトノードは、制限された関連付けをもたない（たとえば、フェムトノードが任意のアクセス端末へのアクセスを許す）フェムトノードを指すことができる。制限されたフェムトノードは、何らかの形で制限された（たとえば、関連付けおよび／または登録のために制限された）フェムトノードを指すことができる。ホームフェムトノードは、アクセス端末がアクセスし、その上で動作することを許可された（たとえば、永続的なアクセスが、１つまたは複数のアクセス端末の定義された集合に与えられる）フェムトノードを指すことができる。ゲストフェムトノードは、アクセス端末がアクセスし、またはその上で動作することを一時的に許可されたフェムトノードを指すことができる。外来フェムトノードは、おそらく非常事態（たとえば、９１１番）を除いて、アクセス端末がアクセスし、またはその上で動作することを許可されないフェムトノードを指す。
【０１０４】
制限されたフェムトノードの観点から、ホームアクセス端末は、制限されたフェムトノードへのアクセスを許可されるアクセス端末（たとえば、アクセス端末は、フェムトノードへの永続的なアクセスを有する）を指すことができる。ゲストアクセス端末は、（たとえば、最終期限、使用の時間、バイト、接続カウントまたは何らかの他の１つまたは複数の基準に基づいて限定される）制限されたフェムトノードへの一時的アクセスをもつアクセス端末を指すことができる。外来アクセス端末は、たとえばおそらく９１１番などの非常事態を除いて、制限されたフェムトノードにアクセスする許可を有していないアクセス端末（たとえば、制限されたフェムトノードに登録する証明書または許可を有していないアクセス端末）を指すことができる。
【０１０５】
便宜のために、本明細書の開示は、フェムトノードの状況で様々な機能について説明する。ただし、ピコノードは、より大きいカバレッジエリアに同じまたは同様の機能を提供することができることを諒解されたい。たとえば、所与のアクセス端末に対して、ピコノードは制限されうる、ホームピコノードは、定義されうるなどである。
【０１０６】
本明細書の教示は、様々なタイプの通信デバイスに実装できうる。いくつかの態様では、本明細書の教示は、複数のワイヤレスアクセス端末のための通信を同時にサポートすることができる多元接続通信システムにおいて配備されうるワイヤレスデバイスに実装されうる。ここで、各端末は、順方向リンクおよび逆方向リンク上の送信を介して、１つまたは複数のアクセスポイントと通信することができる。順方向リンク（または、ダウンリンク）は、アクセスポイントから端末への通信リンクを指し、逆方向リンク（または、アップリンク）は、端末からアクセスポイントへの通信リンクを指す。この通信リンクは、１入力１出力システム、多入力多出力（multiple-in-multiple-out；「ＭＩＭＯ」）システム、または何らかの他のタイプのシステムを介して確立されうる。
【０１０７】
説明のために、図１６は、ＭＩＭＯベースのシステム８００の状況で、ワイヤレスデバイス中で使用されうる例示的な通信構成要素について説明する。システム１６００は、データ伝送用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれることもあるＮＳ個の独立チャネルに分解できる（ここで、ＮＳ≦ｍｉｎ｛ＮＴ，ＮＲ｝）。ＮＳ個の独立チャネルの各々は、１つの次元に対応する。複数の送信アンテナおよび受信アンテナが用いられて生成された追加の次元が利用された場合、ＭＩＭＯシステムは改善されたパフォーマンス（たとえば、より高いスループットおよび／またはより高い信頼性）を提供できる。
【０１０８】
システム１６００は時分割複信（time division duplex；「ＴＤＤ」）および周波数分割複信（frequency division duplex；「ＦＤＤ」）をサポートすることができる。ＴＤＤシステムでは、順方向および逆方向リンク伝送は、同一周波数領域上で行われるので、相反定理は、逆方向リンクチャネルからの順方向リンクチャネルの推定を可能にする。これは、複数のアンテナがアクセスポイントで利用可能なとき、アクセスポイントに順方向リンク上で送信ビーム形成利得を抽出することを可能にする。
【０１０９】
システム１６００は、ワイヤレスデバイス１６１０（たとえば、アクセスポイント）およびワイヤレスデバイス１６５０（たとえば、アクセス端末）を含む。デバイス１６１０では、いくつかのデータストリームのトラフィックデータは、データソース１６１２から送信（「ＴＸ」）データプロセッサ１６１４に与えられる。
【０１１０】
いくつかの態様では、各データストリームは、それぞれの送信アンテナを介して送信される。ＴＸデータプロセッサ１６１４は、符号化データを供給するために、そのデータストリーム用に選択された特定の符号化方式に基づいて、データストリームごとにトラフィックデータをフォーマット化し、符号化し、インタリーブする。
【０１１１】
各データストリームの符号化データは、ＯＦＤＭ技法を使用してパイロットデータで多重化されうる。パイロットデータは、公知の方法で処理され、チャネル応答を推定するために受信機システムにおいて使用できる、典型的には、公知のデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ１６３０によって実行される命令によって決定される。データメモリ１６３２は、プロセッサ１６３０またはデバイス１６１０の他の構成要素によって使用されるプログラムコード、データおよび他の情報を記憶することができる。
【０１１２】
次いで、すべてのデータストリームの変調シンボルが、ＴＸ  ＭＩＭＯプロセッサ１６２０に供給され、ＴＸ  ＭＩＭＯプロセッサ１６２０は、さらに（たとえば、ＯＦＤＭの場合）その変調シンボルを処理する。次いで、ＴＸ  ＭＩＭＯプロセッサ１６２０は、ＮＴ個の変調シンボルストリームをＮＴ個のトランシーバ（「ＸＣＶＲ」）１６２２Ａ〜１６２２Ｔに供給する。いくつかの態様では、ＴＸ  ＭＩＭＯプロセッサ１６２０は、データストリームのシンボルと、シンボルが送信されているアンテナとにビーム形成重みを付加する。
【０１１３】
各トランシーバ１６２２は、それぞれのシンボルストリームを受信し、処理して、１つまたは複数のアナログ信号を供給し、さらに、それらのアナログ信号を調整（たとえば、増幅、フィルタリング、およびアップコンバート）して、ＭＩＭＯチャネルを介して送信するのに適した変調信号を供給する。次いで、トランシーバ１６２２Ａ〜１６２２ＴからのＮＴ個の変調信号は、それぞれ、ＮＴ個のアンテナ１６２４Ａ〜１６２４Ｔから送信される。
【０１１４】
デバイス１６５０では、送信された変調信号は、ＮＲ個のアンテナ１６５２Ａ〜１６５２Ｒによって受信され、各アンテナ１６５２からの受信信号は、それぞれのトランシーバ（「ＸＣＶＲ」）１６５４Ａ〜１６５４Ｒに供給される。各トランシーバ１６５４は、それぞれの受信信号を調整（たとえば、フィルタリング、増幅、およびダウンコンバート）し、サンプルを供給するために調整された信号をデジタル化して、さらにそれらのサンプルを処理して、対応する「受信」シンボルストリームを供給する。
【０１１５】
次いで、受信（「ＲＸ」）データプロセッサ１６６０は、ＮＴ個の「検出」シンボルストリームを供給するために、特定の受信機処理技法に基づいてＮＲ個のトランシーバ１６５４からＮＲ個の受信シンボルストリームを受信し、処理する。次いで、ＲＸデータプロセッサ１６６０は、データストリームに対するトラフィックデータを回復するために、各検出シンボルストリームを復調し、デインタリーブし、復号する。ＲＸデータプロセッサ１６６０による処理は、デバイス１６１０におけるＴＸ  ＭＩＭＯプロセッサ１６２０およびＴＸデータプロセッサ１６１４によって実行される処理を補完するものである。
【０１１６】
プロセッサ１６７０は、どのプリコーディング行列（以下で論じる）を使用すべきかを定期的に判断する。プロセッサ１６７０は、行列インデックス部とランク値部とを備える逆方向リンクメッセージを作成する。データメモリ１６７２は、プロセッサ１６７０またはデバイス１６５０の他の構成要素によって使用されるプログラムコード、データおよび他の情報を記憶することができる。
【０１１７】
逆方向リンクメッセージは、通信リンクおよび／または受信データストリームに関する様々なタイプの情報を備えることができる。次いで、逆方向リンクメッセージは、データソース１６３６からいくつかのデータストリームのためのトラフィックデータをも受信するＴＸデータプロセッサ１６３８によって処理され、変調器１６８０によって変調され、トランシーバ１６５４Ａ〜１６５４Ｒによって調整され、デバイス１６１０に戻される。
【０１１８】
デバイス１６１０において、デバイス１６５０からの変調信号は、デバイス１６５０によって送信された逆方向リンクメッセージを抽出するため、アンテナ１６２４によって受信され、トランシーバ１６２２によって調整され、復調器（「ＤＥＭＯＤ」）１６４０によって復調され、ＲＸデータプロセッサ１６４２によって処理される。次いで、プロセッサ１６３０は、ビーム形成重みを決定するためにどのプリコーディング行列を使用すべきかを判断し、次いで、抽出されたメッセージを処理する。
【０１１９】
図１６はまた、通信構成要素が、本明細書で教示する混同制御動作を実行する１つまたは複数の構成要素を含むことができることを示す。たとえば、混同制御構成要素１６９０は、本明細書で教示する別のデバイス（たとえば、デバイス１６５０）との間で信号を送信／受信するために、デバイス１６１０のプロセッサ１６３０および／または他の構成要素と協働することができる。同様に、混同制御構成要素１６９２は、別のデバイス（たとえば、デバイス１６１０）との間で信号を送信／受信するために、デバイス１６５０のプロセッサ１６７０および／または他の構成要素と協働することができる。各デバイス１６１０および１６５０について、記載の構成要素の２つ以上の機能が、単一の構成要素によって提供できることを諒解されたい。たとえば、単一の処理構成要素が、混同制御構成要素１６９０およびプロセッサ１６３０の機能を提供することができ、また、単一の処理構成要素が、混同制御構成要素１６９２およびプロセッサ１６７０の機能を提供することができる。
【０１２０】
本明細書の教示は、様々なタイプの通信システムおよび／またはシステム構成要素に組み込まれうる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用されうる。たとえば、本明細書の教示は、符号分割多元接続（Code Division Multiple Access；「ＣＤＭＡ」）システム、多重キャリアＣＤＭＡ（Multiple-Carrier CDMA；「ＭＣＣＤＭＡ」）、広帯域ＣＤＭＡ（Wideband CDMA；「Ｗ−ＣＤＭＡ」（登録商標））、高速パケットアクセス（High-Speed Packet Access；「ＨＳＰＡ」、「ＨＳＰＡ＋」）システム、時分割多元接続（Time Division Multiple Access；「ＴＤＭＡ」）システム、周波数分割多元接続（Frequency Division Multiple Access；「ＦＤＭＡ」）システム、単一搬送波ＦＤＭＡ（Single-Carrier FDMA；「ＳＣ−ＦＤＭＡ」）システム、直交周波数分割多元接続（Orthogonal Frequency Division Multiple Access；「ＯＦＤＭＡ」）システム、または他の多元接続技法の技術のいずれか１つまたは組合せに適用されうる。本明細書の教示を使用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計されうる。ＣＤＭＡネットワークは、汎用地上波無線アクセス（Universal Terrestrial Radio Access；「ＵＴＲＡ」）、ｃｄｍａ２０００、または何らかの他の技術などの無線技術を実装することができる。ＵＴＲＡは、Ｗ−ＣＤＭＡおよび低チップレート（Low Chip Rate；「ＬＣＲ」）を含む。ｃｄｍａ２０００技術は、ＩＳ−２０００、ＩＳ−９５、およびＩＳ−８５６規格をカバーする。ＴＤＭＡネットワークは、広域移動体通信システム（Global System for Mobile Communications；「ＧＳＭ」）などの無線技術を実装することができる。ＯＦＤＭＡネットワークは、進化型ＵＴＲＡ（Evolved UTRA；「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサル移動体通信システム（Universal Mobile Telecommunication System；「ＵＭＴＳ」）の一部である。本明細書の教示は、３ＧＰＰロングタームエボリューション（3GPP Long Term Evolution；「ＬＴＥ」）システム、ウルトラモバイルブロードバンド（Ultra-Mobile Broadband；「ＵＭＢ」）システム、および他のタイプのシステムで実装されうる。ＬＴＥは、Ｅ−ＵＴＲＡを使用するＵＭＴＳのリリースである。本開示のいくつかの態様は３ＧＰＰ用語を使用して説明されうるが、本明細書の教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ  ＲｅｌＯ、ＲｅｖＡ、ＲｅｖＢ）技術および他の技術に適用されうることを理解されたい。
【０１２１】
本明細書の教示は、様々な装置（たとえば、ノード）に組み込まれる（たとえば、装置内に実装される、または装置によって実行される）ことができる。いくつかの態様では、本明細書の教示に従って実装されるノード（たとえば、ワイヤレスノード）は、アクセスポイントまたはアクセス端末を備えることができる。
【０１２２】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備える、いずれかとして実装される、またはいずれかとして知られることがある。いくつかの実装形態では、アクセス端末は、セルラー電話、コードレス電話、セッション開始プロトコル（session initiation protocol；「ＳＩＰ」）電話、ワイヤレスローカルループ（wireless local loop；「ＷＬＬ」）局、携帯情報端末（personal digital assistant；「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイス、ビデオデバイス、あるいは衛星ラジオ）、全地球測位システムデバイス、あるいはワイヤレス媒体を介して通信するように構成された他の好適なデバイスに組み込まれうる。
【０１２３】
アクセスポイントは、ノードＢ、ｅＮｏｄｅＢ、無線ネットワーク制御装置（radio network controller；「ＲＮＣ」）、基地局（base station；「ＢＳ」）、無線基地局（radio base station；「ＲＢＳ」）、基地局制御装置（base station controller；「ＢＳＣ」）、送受信基地局（base transceiver station；「ＢＴＳ」）、トランシーバ機能（transceiver function；「ＴＦ」）、無線トランシーバ、無線ルータ、基本サービスセット（basic service set；「ＢＳＳ」）、拡張サービスセット（extended service set；「ＥＳＳ」）、または何らかの他の同様の用語を備える、いずれかとして実装される、またはいずれかとして知られることがある。
【０１２４】
いくつかの態様では、ノード（たとえば、アクセスポイント）は、通信システムのためのアクセスノードを備えることができる。そのようなアクセスノードは、たとえば、ネットワークへの接続性を、もしくは、ネットワークへの有線またはワイヤレスの通信リンクを介したネットワーク（たとえば、インターネットまたはセルラーネットワークなどワイドエリアネットワーク）のために、与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【０１２５】
また、ワイヤレスノードは、ワイヤレスでない方式で（たとえば、有線接続を介して）情報を送信および／または受信することができることを諒解されたい。したがって、本明細書で論じる受信機および送信機は、有線媒体を介して通信するために適切な通信インターフェース構成要素（たとえば、電子的または光学的インターフェース構成要素）を含むことができる。
【０１２６】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークは、ローカルエリアネットワークまたはワイドエリアネットワークを備えることができる。ワイヤレスデバイスは、本明細書で論じる様々なワイヤレス通信技術、プロトコル、または規格（たとえば、ＣＤＭＡ、ＴＤＭＡ、ＯＦＤＭ、ＯＦＤＭＡ、ＷｉＭＡＸ（登録商標）、Ｗｉ−Ｆｉ（登録商標）など）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために、適切な構成要素（たとえば、エアインターフェース）を含むことができる。たとえば、ワイヤレスノードは、ワイヤレス媒体上の通信を可能にする様々な構成要素（たとえば、信号発生器および信号処理器）を含むことができる関連する送信機構成要素および受信機構成要素をもつワイヤレストランシーバを備えることができる。
【０１２７】
本明細書で説明した構成要素は、様々な方法で実装することができる。図１７〜図２１を参照すると、装置１７００、１８００、１９００、２０００および２１００は、一連の相互に関連する機能ブロックとして表される。いくつかの態様では、これらのブロックの機能は、１つまたは複数のプロセッサ構成要素を含む処理システムとして実装されうる。いくつかの態様では、これらのブロックの機能は、たとえば、１つまたは複数の集積回路（たとえば、ＡＳＩＣ）の少なくとも一部を使用して実装されうる。本明細書で論じるように、集積回路は、プロセッサ、ソフトウェア、他の関連した構成要素、またはその何らかの組合せを含むことができる。これらのブロックの機能は、本明細書で教示する方法とは別の何らかの方法で実装されうる。いくつかの態様では、図１７〜図２１の１つまたは複数の破線のブロックは随意である。
【０１２８】
装置１７００、１８００、１９００、２０００および２１００は、様々な図に関して上述した機能の１つまたは複数を実行することができる１つまたは複数のモジュールを含むことができる。たとえば、受信手段１７０２、メッセージ受信手段１８０６、要求受信手段１９０６、信号受信手段２０１２、または受信手段２１０８は、たとえば、本明細書で論じる受信機および／または通信コントローラに対応することがある。識別判断手段１７０４または同一識別子判断手段１９０２は、たとえば、本明細書で論じる混同検出器に対応することがある。メッセージ送信手段１７０６、識別子送信手段１８０２、識別子定義手段１８０８、識別子判断手段１９０８、タイプ判断手段２００４、第２の識別子判断手段２００６、または識別子選択手段２１０４は、たとえば、本明細書で論じる識別子コントローラに対応することがある。送信手段１７０６または送信手段２００８は、たとえば、本明細書で論じる送信機および／または通信コントローラに対応することがある。閾値送信手段１８０４または閾値定義手段１８１０は、たとえば、本明細書で論じる閾値コントローラに対応することがある。報告送信手段１９０４は、たとえば、本明細書で論じる報告生成器に対応することがある。第１の識別子判断手段２００２、識別子使用手段２０１０、通信手段２１０２、または送信手段２１０６は、たとえば、本明細書で論じる通信コントローラに対応することがある。信号強度判断手段２０１４は、たとえば、本明細書で論じる信号処理器および／または受信機に対応することがある。
【０１２９】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用されうる。したがって、第１および第２の要素への言及は、そこで２つの要素のみが使用されうること、または第１の要素が何らかの方法で第２の要素に先行しなければならないことを意味するものではない。また、別段の規定がない限り、１組の要素は１つまたは複数の要素を備えることがある。さらに、説明または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１３０】
当業者は、情報および信号は様々な異なる技術および技法のいずれかを使用して表されうることを、理解されよう。たとえば、上記の説明全体にわたって言及されるデータ、指令、命令、情報、信号、ビット、シンボル、およびチップは、電圧、電流、電磁波、磁界または磁性粒子、光場または光粒子、あるいはそれらの任意の組合せによって表されうる。
【０１３１】
さらに、本明細書で開示された態様に関して説明した様々な例示的な論理ブロック、モジュール、プロセッサ、手段、回路、およびアルゴリズムステップは、電子ハードウェア（たとえば、情報源符号化または何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、または両方の組合せとして実装できることを当業者は諒解されよう。ハードウェアとソフトウェアとのこの互換性を明確に示すために、様々な例示的な構成要素、ブロック、モジュール、回路、およびステップを、上記では概してそれらの機能に関する言葉を用いて説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じると解釈すべきではない。
【０１３２】
本明細書で開示した態様に関して説明した様々な例示的な論理ブロック、モジュールおよび回路は、集積回路（integrated circuit；「ＩＣ」）、アクセス端末、またはアクセスポイント内に実装されうるし、またはそれらによって実行されうる。ＩＣは、汎用プロセッサ、デジタル信号プロセッサ（digital signal processor；ＤＳＰ）、特定用途向け集積回路（application specific integrated circuit；ＡＳＩＣ）、フィールドプログラマブルゲートアレイ（field programmable gate array；ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ、ＩＣの内部に、ＩＣの外側に、またはその両方に常駐するコードまたは命令を実行することができる。汎用プロセッサは、マイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装されうる。
【０１３３】
開示されたプロセス中のステップの特定の順序または階層は、例示的な手法の一例であることを理解されたい。設計の選好に基づいて、プロセス中のステップの特定の順序または階層は、本開示の範囲内のまま再構成できることを理解されたい。添付の方法クレームは、様々なステップの要素を例示的な順序で提示するものであり、提示された特定の順序または階層に限定されるものではない。
【０１３４】
説明した機能は、ハードウェア、ソフトウェア、ファームウェア、またはそれらの組合せに実装されうる。ソフトウェアに実装する場合、機能は、１つまたは複数の命令またはコードとしてコンピュータ可読媒体上に記憶されうるか、あるいはコンピュータ可読媒体を介して送信されうる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる他の任意の媒体を備えることができる。また、いかなる接続も正しくはコンピュータ可読媒体と呼ばれる。たとえば、ソフトウェアが、同軸ケーブル、光ファイバケーブル、ツイストペア、デジタル加入者回線（digital subscriber line；ＤＳＬ）、または赤外線、ラジオ波、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、ラジオ波、およびマイクロ波などのワイヤレス技術は、媒体の定義に含まれる。本明細書で使用するディスク（disk）およびディスク（disc）は、コンパクトディスク（compact disc；ＣＤ）、レーザディスク（disc）、光ディスク（disc）、デジタル多用途ディスク（digital versatile disc；ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。要約すると、コンピュータ可読媒体は任意の好適なコンピュータプログラム製品に実装されうることを諒解されたい。
【０１３５】
上記に鑑みて、いくつかの態様では、通信の第１の方法は、第１のノード識別子によって識別されるノード向けのメッセージを受信することと、別のノードが第１のノード識別子によって識別されるかどうかを判断することと、判断の結果として、ノードとの通信を確立するために第２のノード識別子の使用を指定するメッセージを送信することと備える。さらに、いくつかの態様では、以下のうちの少なくとも１つも、通信の第１の方法に適用できる。別のノードが、複数のセルが指定されたセル識別子を使用するかどうかを判断することを備える第１のノード識別子によって識別されるかどうかを判断すること。第２のノード識別子はノードを一意に識別する。第１のノード識別子は第１の領域中で一意であり、第２のノード識別子は第１の領域よりも大きい第２の領域中で一意である。メッセージは、ハンドオーバ要求、干渉管理シグナリング、信号強度測定報告、または少なくとも１つのリソースを確保するためのメッセージを備える。本方法は、ノードのための別のメッセージを受信することであって、その別のメッセージが第２のノード識別子を備える、受信することと、その別のメッセージをノードにトンネリングすることとをさらに備える。判断は、近隣探索を行うこと、または第１の識別子が識別子のリスト中に見つかるかどうかを判断することを備える。識別子のリストは範囲を備える。メッセージは、第１のノード識別子の指示を備え、判断は、指示をノード識別子の指示のリストと比較することを備える。ノード識別子指示のリストは、エリア中で２つ以上のノードに共通のノード識別子を備え、ノード識別子は、別のメッセージによって、または近隣探索を介して受信される。第１のノード識別子は、物理セル識別子、パイロット識別子、または擬似乱数配列を備え、第２のノード識別子は、セルグローバル識別子、アクセスネットワーク識別子、またはセクタ識別子を備える。ノードはアクセスポイントを備える。ノードはフェムトセルまたはピコセルを備える。ノードは、少なくとも１つの他のノードに、シグナリング、データアクセス、登録、ページング、またはサービスのうちの少なくとも１つを提供しないように制限される。
【０１３６】
いくつかの態様では、通信のための装置は、第１のノード識別子によって識別されるノードのためのメッセージを受信するように構成された受信機と、別のノードが第１のノード識別子によって識別されるかどうかを判断するように構成された混同検出器と、判断の結果として、ノードとの通信を確立するために第２のノード識別子の使用を指定するメッセージを送信するように構成された識別子コントローラとを備える。
【０１３７】
いくつかの態様では、通信のための装置は、第１のノード識別子によって識別されるノードのためのメッセージを受信するための手段と、別のノードが第１のノード識別子によって識別されるかどうかを判断するための手段と、判断の結果として、ノードとの通信を確立するために第２のノード識別子の使用を指定するメッセージを送信するための手段とを備える。
【０１３８】
いくつかの態様では、コンピュータプログラム製品は、第１のノード識別子によって識別されるノードのためのメッセージを受信することと、別のノードが第１のノード識別子によって識別されるかどうかを判断することと、判断の結果として、ノードとの通信を確立するために第２のノード識別子の使用を指定するメッセージを送信することとをコンピュータに行わせるためのコードを備えるコンピュータ可読媒体を備える。
【０１３９】
いくつかの態様では、通信のための第２の方法は、第１のノード識別子によって識別されるノードにメッセージを送信することを選択することと、別のノードが第１のノード識別子によって識別されうるかどうかを判断することと、判断に基づいてノードとの通信を確立するために第２のノード識別子を使用することとを備える。さらに、いくつかの態様では、以下のうちの少なくとも１つも、通信の第２の方法に適用できる。第２のノード識別子は、ノードを一意に識別する。第１のノード識別子は第１の領域中で一意であり、第２のノード識別子は、第１の領域よりも大きい第２の領域中で一意である。メッセージは、ハンドオーバ要求、干渉管理シグナリング、信号強度測定報告、または少なくとも１つのリソースを確保するためのメッセージを備える。判断は、別のノードが第１のノード識別子によって識別されるかどうかを示すメッセージを受信することを備える。本方法は、通信を確立するために第１のノード識別子の指示を備えるメッセージを送信することをさらに備え、判断は、第２のノード識別子が通信を確立するために使用されることになることを指定するメッセージへの応答を受信することを備える。判断は、別のノードと通信しようと試みることと、通信が許可されないことを示すメッセージを別のノードから受信することとを備える。本方法は、ノードとの通信を確立しようとする後続の試みのために第２のノード識別子を使用することをさらに備える。第１のノード識別子は、物理セル識別子、パイロット識別子、または擬似乱数配列を備え、第２のノード識別子は、セルグローバル識別子、アクセスネットワーク識別子、またはセクタ識別子を備える。ノードはアクセスポイントを備える。ノードはフェムトセルまたはピコセルを備える。ノードは、少なくとも１つの他のノードに、シグナリング、データアクセス、登録、ページング、またはサービスのうちの少なくとも１つを提供しないように制限される。
【０１４０】
いくつかの態様では、通信のための装置は、第１のノード識別子によって識別されるノードにメッセージを送信することを選択するように構成された通信コントローラと、別のノードが第１のノード識別子によって識別されうるかどうかを判断するように構成された混同検出器とを備え、通信コントローラは、判断に基づいてノードとの通信を確立するために第２のノード識別子を使用するようにさらに構成される。
【０１４１】
いくつかの態様では、通信のための装置は、第１のノード識別子によって識別されるノードにメッセージを送信することを選択するための手段と、別のノードが第１のノード識別子によって識別できるかどうかを判断するための手段と、判断に基づいてノードとの通信を確立するために第２のノード識別子を使用するための手段とを備える。
【０１４２】
いくつかの態様では、コンピュータプログラム製品は、第１のノード識別子によって識別されるノードにメッセージを送信することを選択することと、別のノードが第１のノード識別子によって識別できるかどうかを判断することと、判断に基づいてノードとの通信を確立するために第２のノード識別子を使用することとをコンピュータに行わせるためのコードを備えるコンピュータ可読媒体を備える。
【０１４３】
いくつかの態様では、通信の第３の方法は、アクセスポイントとの通信を確立するための第１の識別子を判断することと、第１の識別子のタイプを判断することと、第１の識別子のタイプに基づいて、アクセスポイントとの通信を確立するための第２の識別子を判断することとを備える。さらに、いくつかの態様では、以下のうちの少なくとも１つも、通信の第３の方法に適用できる。第１の識別子のタイプを判断することは、別のノードが第１の識別子によって識別されるかどうかを示すメッセージを受信することを備える。本方法は、アクセスポイントとの通信を確立しようとする後続の試みのために第２の識別子を使用することをさらに備える。第１の識別子のタイプを判断することは、複数のセルが同じ第１のタイプのセル識別子を使用するかどうかを判断することを備える。本方法は、同一セル識別子について複数のエントリを備える測定報告を送信することをさらに備える。第１の識別子は、アクセスポイントに関連付けられた物理セル識別子、アクセスポイントに関連付けられた擬似乱数オフセット、またはアクセスポイントに関連付けられた獲得パイロットを備え、第２の識別子は、アクセスポイントに関連付けられたグローバルセル識別子、アクセスポイントに関連付けられたインターネットプロトコルアドレス、またはネットワーク内のアクセスポイントを一意に識別する識別子を備える。第２の識別子の判断は、アクセスポイントとの通信を確立するときに、さもなければ第１の識別子の使用によって生じうる混同を回避するために、実施される。第２の識別子の判断は、第１の識別子の値が、指定された値の集合のうちの１つかどうかに基づく。指定された値の集合は、混同なしではないものとして指定されるアクセスポイントに関連付けられる。指定された値の集合は、限定加入者グループに関連付けられる。指定された値の集合は、少なくとも１つの指定されたタイプのアクセスポイントに関連付けられる。少なくとも１つの指定されたタイプは、送信電力と、カバレッジエリアと、中継器機能とからなるグループのうちの少なくとも１つに関する。本方法は、別のアクセスポイントから指定された値の集合のリストを受信することをさらに備える。アクセスポイントとの通信を確立することは、信号強度測定メッセージ、無線リソース報告またはハンドオーバ要求とともに第２の識別子を送信することを備える。第２の識別子は、アクセスポイントへのハンドオーバを開始する別のアクセスポイントに送信される。本方法は、第２の識別子を使用してアクセスポイントにメッセージを送信することをさらに備える。アクセスポイントはフェムトセルまたはピコセルを備える。アクセスポイントは、少なくとも１つのアクセス端末の制限された集合を受け持つ。
【０１４４】
いくつかの態様では、通信のための装置は、アクセスポイントとの通信を確立するための第１の識別子を判断するように構成された通信コントローラと、第１の識別子に基づいて、アクセスポイントとの通信を確立するための第２の識別子を判断するように構成された識別子コントローラとを備える。
【０１４５】
いくつかの態様では、通信のための装置は、アクセスポイントとの通信を確立するための第１の識別子を判断するための手段と、第１の識別子に基づいて、アクセスポイントとの通信を確立するための第２の識別子を判断するための手段とを備える。
【０１４６】
いくつかの態様では、コンピュータプログラム製品は、アクセスポイントとの通信を確立するための第１の識別子を判断することと、第１の識別子に基づいて、アクセスポイントとの通信を確立するための第２の識別子を判断することとをコンピュータに行わせるためのコードを備えるコンピュータ可読媒体を備える。
【０１４７】
いくつかの態様では、通信の第４の方法は、第１のアクセスポイントと通信することと、第１のアクセスポイントに関連付けられた識別子の集合のうちの識別子を選択することと、第２のアクセスポイントとの通信を確立するときに、選択された識別子を第２のアクセスポイントに送信することとを備える。さらに、いくつかの態様では、以下のうちの少なくとも１つも、通信の第４の方法に適用できる。識別子の選択は、第１のアクセスポイントに関連付けられたノードタイプに基づく。識別子の集合は第１の識別子と第２の識別子とを備え、選択された識別子は第２の識別子を備える。第１の識別子は、第１のアクセスポイントに関連付けられた物理セル識別子、第１のアクセスポイントに関連付けられた擬似乱数オフセット、または第１のアクセスポイントに関連付けられた獲得パイロットを備え、第２の識別子は、第１のアクセスポイントに関連付けられたグローバルセル識別子、第１のアクセスポイントに関連付けられたインターネットプロトコルアドレス、またはネットワーク内の第１のアクセスポイントを一意に識別する識別子を備える。第２の識別子は、第２のアクセスポイントとの通信を確立するときに、さもなければ第１の識別子の使用によって生じうる混同を、回避するように選択される。識別子の選択は、第１の識別子の値が、指定された値の集合のうちの１つであるかどうかに基づく。指定された値の集合は、混同なしではないものとして指定されるアクセスポイントと、限定加入者グループと、少なくとも１つの指定されたタイプのアクセスポイントとからなるグループのうちの少なくとも１つに関連付けられる。少なくとも１つの指定されたタイプは、送信電力と、カバレッジエリアと、中継器機能とからなるグループのうちの少なくとも１つに関する。本方法は、第１のアクセスポイントから指定された値の集合のリストを受信することをさらに備える。選択された識別子は接続要求とともに送信される。識別子の選択は、第１のアクセスポイントとの通信の損失によってトリガされる。選択された識別子は、第１のアクセスポイントとの通信を確立するために、および／または第１のアクセスポイントから構成情報を取得するために、第２のアクセスポイントによって使用される。第１のアクセスポイントはフェムトセルまたはピコセルを備える。第１のアクセスポイントは、少なくとも１つのアクセス端末の制限された集合を受け持つ。
【０１４８】
いくつかの態様では、通信のための装置は、第１のアクセスポイントと通信するように構成された通信コントローラと、第１のアクセスポイントに関連付けられた識別子の集合のうちの識別子を選択するように構成された識別子コントローラとを備え、通信コントローラはさらに、第２のアクセスポイントとの通信を確立するときに、選択された識別子を第２のアクセスポイントに送信するように構成される。
【０１４９】
いくつかの態様では、通信のための装置は、第１のアクセスポイントと通信するための手段と、第１のアクセスポイントに関連付けられた識別子の集合のうちの識別子を選択するための手段と、第２のアクセスポイントとの通信を確立するときに、選択された識別子を第２のアクセスポイントに送信するための手段とを備える。
【０１５０】
いくつかの態様では、コンピュータプログラム製品は、第１のアクセスポイントと通信することと、第１のアクセスポイントに関連付けられた識別子の集合のうちの識別子を選択することと、第２のアクセスポイントとの通信を確立するときに、選択された識別子を第２のアクセスポイントに送信することとをコンピュータに行わせるためのコードを備えるコンピュータ可読媒体を備える。
【０１５１】
いくつかの態様では、通信の第５の方法は、複数のセルが同じ第１のタイプのセル識別子を使用するかどうかを判断することと、判断に基づいて第１のタイプのセル識別子に関連付けられた第２のタイプのセル識別子の要求を送信することとを備える。さらに、いくつかの態様では、以下のうちの少なくとも１つも、通信の第５の方法に適用できる。第１のタイプのセル識別子は、物理セル識別子を備え、第２のタイプのセル識別子は、グローバルセル識別子を備える。本方法は、セルのうちの１つが、混同を生じた可能性があるセル識別子を使用することを示す測定報告を受信することをさらに備える。判断は、セルによって使用されるセル識別子を示す近隣探索に基づく。判断は、セル識別子がセルによって使用されたことを示す受信されたメッセージに基づく。本方法は、要求への応答を受信することであって、応答が第２のタイプのセル識別子を備える、受信することと、第２のタイプのセル識別子を使用してハンドオーバを開始することとをさらに備える。セルはフェムトセルまたはピコセルを備える。本方法は基地局によって実行される。
【０１５２】
いくつかの態様では、通信のための装置は、第１のセルと第２のセルとが同じ第１のタイプのセル識別子を使用するかどうかを判断するように構成された混同検出器と、判断に基づいて第１のタイプのセル識別子に関連付けられた第２のタイプのセル識別子の要求を送信するように構成された識別子コントローラとを備える。
【０１５３】
いくつかの態様では、通信のための装置は、第１のセルと第２のセルとが同じ第１のタイプのセル識別子を使用するかどうかを判断するための手段と、判断に基づいて第１のタイプのセル識別子に関連付けられた第２のタイプのセル識別子の要求を送信するための手段とを備える。
【０１５４】
いくつかの態様では、コンピュータプログラム製品は、第１のセルと第２のセルとが同じ第１のタイプのセル識別子を使用するかどうかを判断することと、判断に基づいて第１のタイプのセル識別子に関連付けられた第２のタイプのセル識別子の要求を送信することとをコンピュータに行わせるためのコードを備えるコンピュータ可読媒体を備える。
【０１５５】
いくつかの態様では、通信の第６の方法は、セル識別子に関連付けられた信号を受信することと、セル識別子が第１のタイプのセル識別子の定義された集合のうちの１つであるかどうかを判断することと、信号の信号強度が、セル識別子の定義された集合に関連付けられた閾値以上であるかどうかを判断することと、セル識別子がセル識別子の定義された集合のうちの１つであり、信号強度が閾値以上である場合、セル識別子に関連付けられた第２のタイプ識別子のセル識別子を獲得することと、獲得されたセル識別子を備えるメッセージを送信することとを備える。さらに、いくつかの態様では、以下のうちの少なくとも１つも、通信の第６の方法に適用できる。第１のタイプのセル識別子は、物理セル識別子を備え、第２のタイプのセル識別子は、グローバルセル識別子を備える。定義された集合は、第１のタイプのすべてのセル識別子のサブセットを備え、定義された集合は、別のセルのカバレッジエリア内の複数のセルに割り当てられうるセル識別子を識別する。セル識別子の獲得は、信号を送信したセルからセル識別子を受信することを備える。メッセージは測定報告を備える。本方法は、メッセージを送信した結果として、獲得されたセル識別子に関連付けられたセルへのハンドオーバを実行するためのコマンドを受信することをさらに備える。本方法は、セル識別子の定義された集合と閾値とを無線で受信することをさらに備える。第１のタイプのセル識別子は、フェムトセルまたはピコセルを識別する。本方法はアクセス端末によって実行される。
【０１５６】
いくつかの態様では、通信のための装置は、セル識別子に関連付けられた信号を受信するように構成された受信機と、セル識別子が第１のタイプのセル識別子の定義された集合のうちの１つであるかどうかを判断するコンパレータと、信号の信号強度が、セル識別子の定義された集合に関連付けられた閾値以上であるかどうかを判断するように構成された信号処理器と、セル識別子がセル識別子の定義された集合のうちの１つであり、信号強度が閾値以上である場合、セル識別子に関連付けられた第２のタイプ識別子のセル識別子を獲得するように構成された識別子コントローラと、獲得されたセル識別子を備えるメッセージを送信するように構成された送信機とを備える。
【０１５７】
いくつかの態様では、通信のための装置は、セル識別子に関連付けられた信号を受信するための手段と、セル識別子が第１のタイプのセル識別子の定義された集合のうちの１つであるかどうかを判断するための手段と、信号の信号強度が、セル識別子の定義された集合に関連付けられた閾値以上であるかどうかを判断するための手段と、セル識別子がセル識別子の定義された集合のうちの１つであり、信号強度が閾値以上である場合、セル識別子に関連付けられた第２のタイプ識別子のセル識別子を獲得するための手段と、獲得されたセル識別子を備えるメッセージを送信するための手段とを備える。
【０１５８】
いくつかの態様では、コンピュータプログラム製品は、セル識別子に関連付けられた信号を受信することと、セル識別子が第１のタイプのセル識別子の定義された集合のうちの１つであるかどうかを判断することと、信号の信号強度が、セル識別子の定義された集合に関連付けられた閾値以上であるかどうかを判断することと、セル識別子がセル識別子の定義された集合のうちの１つであり、信号強度が閾値以上である場合、セル識別子に関連付けられた第２のタイプ識別子のセル識別子を獲得することと、獲得されたセル識別子を備えるメッセージを送信することとをコンピュータに行わせるためのコードを備えるコンピュータ可読媒体を備える。
【０１５９】
いくつかの態様では、通信の第７の方法は、第１のタイプのセル識別子の定義された集合をノードに送信することと、セル識別子の定義された集合に関連付けられた閾値をノードに送信することであって、閾値は、第２のタイプのセル識別子を獲得すべきかどうかを判断するためのものである、送信することと、ノードから第２のタイプのセル識別子のうちの１つを備えるメッセージを受信することとを備える。さらに、いくつかの態様では、以下のうちの少なくとも１つも、通信の第７の方法に適用できる。第１のタイプのセル識別子は、物理セル識別子を備え、第２のタイプのセル識別子は、グローバルセル識別子を備える。定義された集合は第１のタイプのセル識別子のスーパーセットのサブセットを備え、定義された集合は、別のセルのカバレッジエリア内の複数のセルに割り当てることができるセル識別子を識別する。本方法は、セル識別子の定義された集合を定義することをさらに備える。セル識別子の定義された集合の定義は、第１のタイプの共通セル識別子を使用する複数の近隣のセルを識別することを備える。本方法は、閾値を定義することをさらに備える。メッセージは測定報告を備える。本方法は、第２のタイプの受信されたセル識別子に関連付けられたセルへのハンドオーバを実行するように、ノードに指示することをさらに備える。第１のタイプのセル識別子は、フェムトセルまたはピコセルを識別する。本方法は基地局によって実行される。
【０１６０】
いくつかの態様では、通信のための装置は、ノードに第１のタイプのセル識別子の定義された集合を送信するように構成された識別子コントローラと、ノードにセル識別子の定義された集合に関連付けられた閾値を送信するように構成された閾値コントローラであって、閾値は、第２のタイプのセル識別子を獲得すべきかどうかを判断するためのものである閾値コントローラと、第２のタイプのセル識別子のうちの１つを備えるメッセージをノードから受信するように構成された受信機とを備える。
【０１６１】
いくつかの態様では、通信のための装置は、ノードに第１のタイプのセル識別子の定義された集合を送信するための手段と、ノードにセル識別子の定義された集合に関連付けられた閾値を送信するための手段であって、閾値は、第２のタイプのセル識別子を獲得すべきかどうかを判断するためのものである送信するための手段と、第２のタイプのセル識別子のうちの１つを備えるメッセージをノードから受信するための手段とを備える。
【０１６２】
いくつかの態様では、コンピュータプログラム製品は、ノードに第１のタイプのセル識別子の定義された集合を送信することと、ノードにセル識別子の定義された集合に関連付けられた閾値を送信することであって、閾値は、第２のタイプのセル識別子を獲得すべきかどうかを判断するためのものである送信することと、第２のタイプのセル識別子のうちの１つを備えるメッセージをノードから受信することとをコンピュータに行わせるためのコードを備えるコンピュータ可読媒体を備える。
【０１６３】
いくつかの態様では、通信の第８の方法は、第１のタイプの指定されたセル識別子を備えるメッセージを受信することと、複数のセルが、指定されたセル識別子を使用するかどうかを判断することと、判断に基づいて、指定されたセル識別子に関連付けられた第２のタイプのセル識別子の要求を送信することとを備える。さらに、いくつかの態様では、以下のうちの少なくとも１つも、通信の第８の方法に適用できる。第１のタイプのセル識別子は、物理セル識別子を備え、第２のタイプのセル識別子は、グローバルセル識別子を備える。メッセージは、指定されたセル識別子を使用するセルのうちの第１のセルからの第１の信号の受信信号強度の第１の指示をさらに備え、本方法は、受信信号強度の第１の指示と、指定されたセル識別子を使用するセルのうちの第２のセルからの第２の信号の受信信号強度の第２の指示とに基づいて、セル識別子の混同が生じるかどうかを判断することであって、要求を送信することが、セル識別子の混同が生じるかどうかの判断にさらに基づく、判断をすることと、第１のタイプのセル識別子の定義された集合を、メッセージを送信したノードに送信することと、セル識別子の定義された集合に関連付けられた閾値をノードに送信することであって、閾値は、第２のタイプのセル識別子を獲得すべきかどうかを判断するためのものである、送信することとをさらに備える。定義された集合は第１のタイプのセル識別子のスーパーセットのサブセットを備え、定義された集合は、別のセルのカバレッジエリア内の複数のセルに割り当てられうるセル識別子を識別する。メッセージは測定報告を備える。本方法は、第２のタイプの受信されたセル識別子に関連付けられたセルへのハンドオーバを実行するようにノードに指示することをさらに備える。第１のタイプのセル識別子は、フェムトセルまたはピコセルを識別する。本方法は、基地局によって実行される。
【０１６４】
いくつかの態様では、通信のための装置は、第１のタイプの指定されたセル識別子を備えるメッセージを受信するように構成された受信機と、複数のセルが、指定されたセル識別子を使用するかどうかを判断するように構成された混同検出器と、判断に基づいて、指定されたセル識別子に関連付けられた第２のタイプのセル識別子の要求を送信するように構成された識別子コントローラとを備える。
【０１６５】
いくつかの態様では、通信のための装置は、第１のタイプの指定されたセル識別子を備えるメッセージを受信するための手段と、複数のセルが、指定されたセル識別子を使用するかどうかを判断するための手段と、判断に基づいて、指定されたセル識別子に関連付けられた第２のタイプのセル識別子の要求を送信するための手段とを備える。
【０１６６】
いくつかの態様では、コンピュータプログラム製品は、第１のタイプの指定されたセル識別子を備えるメッセージを受信することと、複数のセルが、指定されたセル識別子を使用するかどうかを判断することと、判断に基づいて、指定されたセル識別子に関連付けられた第２のタイプのセル識別子の要求を送信することとをコンピュータに行わせるためのコードを備えるコンピュータ可読媒体を備える。
【０１６７】
いくつかの態様では、通信の第９の方法は、複数のセルが同じ第１のタイプのセル識別子を使用するかどうかを判断することと、同一セル識別子について複数のエントリを備える測定報告を送信することとを備える。さらに、いくつかの態様では、以下のうちの少なくとも１つも、通信の第９の方法に適用できる。本方法は、同一セル識別子に関連付けられた第２のタイプのセル識別子を判断することをさらに備え、測定報告は第２のタイプのセル識別子をさらに備える。第１のタイプのセル識別子は、物理セル識別子を備え、第２のタイプのセル識別子は、グローバルセル識別子を備える。判断は、複数のセルから信号を受信することを備え、信号は同一セル識別子を備える。セルは、フェムトセルまたはピコセルを備える。本方法は、アクセス端末によって実行される。
【０１６８】
いくつかの態様では、通信のための装置は、複数のセルが同一セル識別子を使用するかどうかを判断するように構成された混同検出器と、同一セル識別子について複数のエントリを備える測定報告を送信するように構成された測定報告生成器とを備える。
【０１６９】
いくつかの態様では、通信のための装置は、複数のセルが同一セル識別子を使用するかどうかを判断するための手段と、同一セル識別子について複数のエントリを備える測定報告を送信するための手段とを備える。
【０１７０】
いくつかの態様では、コンピュータプログラム製品は、複数のセルが同一セル識別子を使用するかどうかを判断することと、同一セル識別子について複数のエントリを備える測定報告を送信することとをコンピュータに行わせるためのコードを備えるコンピュータ可読媒体を備える。
【０１７１】
いくつかの態様では、通信の第１０の方法は、複数のセルが同一セル識別子を使用するかどうかを判断することと、判断に基づいて測定報告を送信することとを備える。さらに、いくつかの態様では、以下のうちの少なくとも１つも、通信の第１０の方法に適用できる。本方法は、混同情報の要求を受信することをさらに備える。測定報告は、要求に応答して送信され、判断の指示を備える。同一セル識別子は、物理セル識別子を備える。セルは、同期信号および／またはパイロット信号が現在受信されている元のセルを備える。セルは、定義された時間期間中に、同期信号および／またはパイロット信号が受信された元のセルを備える。セルは、定義された数のハンドオーバに関連付けられた時間期間中に、同期信号および／またはパイロット信号が受信された元のセルを備える。同一セル識別子は、第１のタイプのセル識別子であり、本方法は、同一セル識別子に関連付けられた第２のタイプのセル識別子を判断することをさらに備え、測定報告は、第２のタイプのセル識別子をさらに備える。第１のタイプのセル識別子は、物理セル識別子を備え、第２のタイプのセル識別子は、グローバルセル識別子を備える。判断は、複数のセルから信号を受信することを備え、信号は、同一セル識別子を備える。セルはフェムトセルまたはピコセルを備える。本方法はアクセス端末によって実行される。
【０１７２】
いくつかの態様では、通信のための装置は、複数のセルが同一セル識別子を使用するかどうかを判断するように構成された混同検出器と、判断に基づいて測定報告を送信するように構成された測定報告生成器とを備える。
【０１７３】
いくつかの態様では、通信のための装置は、複数のセルが同一セル識別子を使用するかどうかを判断するための手段と、判断に基づいて測定報告を送信するための手段とを備える。
【０１７４】
いくつかの態様では、コンピュータプログラム製品は、複数のセルが同一セル識別子を使用するかどうかを判断することと、判断に基づいて測定報告を送信することとをコンピュータに行わせるためのコードを備えるコンピュータ可読媒体を備える。
【０１７５】
上記に鑑みて、いくつかの態様では、通信の第１１の方法は、混同情報の要求を受信することと、複数のセルが同一セル識別子を使用するかどうかを判断することと、要求に応答して、判断の指示を備えるメッセージを送信することとを備える。さらに、いくつかの態様では、以下のうちの少なくとも１つも、通信の第１１の方法に適用できる。同一セル識別子は、物理セル識別子を備える。混同情報の要求は、指定されたセル識別子に関する。メッセージは、複数のセルが同一セル識別子を使用するという判断の結果として送信される。要求は、測定報告の要求を備える。メッセージは、測定報告を備える。セルは、フェムトセルまたはピコセルを備える。本方法は、アクセス端末によって実行される。
【０１７６】
いくつかの態様では、通信のための装置は、混同情報の要求を受信するように構成された受信機と、複数のセルが同一セル識別子を使用するかどうかを判断するように構成された混同検出器と、要求に応答して、判断の指示を備えるメッセージを送信するように構成された送信機とを備える。
【０１７７】
いくつかの態様では、通信のための装置は、混同情報の要求を受信するための手段と、複数のセルが同一セル識別子を使用するかどうかを判断するための手段と、要求に応答して、判断の指示を備えるメッセージを送信するための手段とを備える。
【０１７８】
いくつかの態様では、コンピュータプログラム製品は、混同情報の要求を受信することと、複数のセルが同一セル識別子を使用するかどうかを判断することと、要求に応答して、判断の指示を備えるメッセージを送信することとをコンピュータに行わせるためのコードを備えるコンピュータ可読媒体を備える。
【０１７９】
いくつかの態様では、第１、第２、第３、第４、第５、第６、第７、第８、第９、第１０、および第１１の通信の方法に関係する上記の態様のうちの１つまたは複数に対応する機能は、たとえば、本明細書で教示する構造を使用する装置中で実装されうる。さらに、コンピュータプログラム製品は、第１、第２、第３、第４、第５、第６、第７、第８、第９、第１０、および第１１の通信の方法に関係する上記の態様のうちの１つまたは複数に対応する機能をコンピュータに行わせるように構成されたコードを備えることができる。
【０１８０】
開示した態様の前述の説明は、当業者が本開示を実施または使用できるようにするために提供したものである。これらの態様への様々な変更は、当業者には容易に明らかになり、本明細書で定義した一般原理は、本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
【図１】
2011504060.tif 000003
【図２】
2011504060.tif 000004
【図３】
2011504060.tif 000005
【図４】
2011504060.tif 000006
【図５】
2011504060.tif 000007
【図６】
2011504060.tif 000008
【図７】
2011504060.tif 000009
【図８】
2011504060.tif 000010
【図９Ａ】
2011504060.tif 000011
【図９Ｂ】
2011504060.tif 000012
【図１０Ａ】
2011504060.tif 000013
【図１０Ｂ】
2011504060.tif 000014
【図１１】
2011504060.tif 000015
【図１２】
2011504060.tif 000016
【図１３】
2011504060.tif 000017
【図１４】
2011504060.tif 000018
【図１５】
2011504060.tif 000019
【図１６】
2011504060.tif 000020
【図１７】
2011504060.tif 000021
【図１８】
2011504060.tif 000022
【図１９】
2011504060.tif 000023
【図２０】
2011504060.tif 000024
【図２１】
2011504060.tif 000025
【国際調査報告】
2011504060.tif 000026
2011504060.tif 000027
2011504060.tif 000028
2011504060.tif 000029
2011504060.tif 000030